(57)【要約】  飲料分配システムは、容器、取り付け機構、及びカートリッジを備える。容器は、カートリッジの内容物と混合されるべき、水などの混合溶液又は液体を保持することができる。取り付け機構は、一般的に、容器内に位置する。取り付け機構は、係合アセンブリ、穿孔部分、及び弁アセンブリを備えることができる。係合アセンブリは、一般的に、カートリッジを取り付け機構内で受容することができる。穿孔部分は、一般的に、カートリッジを穿孔することができ、それによって、カートリッジの内容物を容器内に放出する。弁アセンブリは、一般的に、カートリッジが取り付け機構と係合すると開口することができる。カートリッジは、一般的に、容器に分配されるようにカートリッジを開口するために取り付け機構と係合し、それによって、飲用飲料を作り出すためにカートリッジの内容物が容器内の液体と結合する。
2019512277.tif 000002
【特許請求の範囲】
【請求項１】
飲料分配システムであって、
容器と、
前記容器に連結された取り付け機構であって、前記取り付け機構は収容部と、切断部分と、カートリッジ加圧部材とを含み、前記カートリッジ加圧部材は、前記収容部にヒンジ取り付けされており、開放位置と閉鎖位置との間で回転可能である、取り付け機構と、
前記収容部にて前記取り付け機構に係合するように適合されたカートリッジであって、チャンバと、開口部と、前記開口部上方に位置する穿孔可能なカバーとを含むカートリッジと、を備え、
前記閉鎖位置では、前記カートリッジは、前記カートリッジ加圧部材の開口部を貫通して延び、前記カートリッジ加圧部材は、前記カートリッジに係合して前記カバーを前記切断部分に押し付け、それによって前記カートリッジを開口して内容物を前記容器に分配する、飲料分配システム。
【請求項２】
前記カートリッジは、１つ又は２つ以上の飲料成分を保持する、請求項１に記載のシステム。
【請求項３】
前記１つ又は２つ以上の飲料成分は、シロップ、ペースト、粉末、又は顆粒を含む、請求項２に記載のシステム。
【請求項４】
前記１つ又は２つ以上の飲料成分は、栄養分、ビタミン、薬草、栄養補助食品、微粒子、ゲル、又はフルーツ風味ベースを含む、請求項２に記載のシステム。
【請求項５】
前記カートリッジは、少なくとも２つのチャンバを含み、それぞれのチャンバは、異なる飲料成分を保持する、請求項１に記載のシステム。
【請求項６】
前記収容部は、前記カートリッジが開口されたときに前記システムからの前記１つ又は２つ以上の飲料成分の漏出を防止するように構成されたシールを更に含む、請求項２に記載のシステム。
【請求項７】
前記切断部分は、前記カバーが前記切断部分に押し付けられたときに前記カバーを穿孔するように構成されている、請求項１に記載のシステム。
【請求項８】
前記カートリッジ加圧部材は、スパウトを含むスパウト部分上に配設されており、前記スパウトは、前記カートリッジ加圧部材が前記閉鎖位置にあるときに、前記容器開口部と整合する、請求項１に記載のシステム。
【請求項９】
前記カートリッジ加圧部材は、シリコーンドームを含む、請求項１に記載のシステム。
【請求項１０】
前記カートリッジ加圧部材は、前記カバーを前記切断部分に押し付けるために前記カートリッジのリムに係合する、請求項１に記載のシステム。
【請求項１１】
飲料分配システムであって、
第１の端部と前記第１の端部の反対側の第２の端部を有する容器と、
前記第１の端部で前記容器に連結された取り付け機構であって、前記取り付け機構はクロージャ基部とカートリッジ加圧部材とを含み、前記カートリッジ加圧部材は、前記クロージャ基部にヒンジ取り付けされており、開放位置と閉鎖位置との間で回転可能であり、前記閉鎖位置で、前記カートリッジ加圧部材は、前記カートリッジの内容物を分配するためにカートリッジに係合するように構成されている、取り付け機構と、
前記第２の端部で前記容器に連結された格納室であって、前記格納室は、カートリッジを格納するための内部空間を含む、格納室と、を備える、飲料分配システム。
【請求項１２】
前記内部空間は、少なくとも第２のカートリッジと第３のカートリッジとを格納するように構成されている、請求項１１に記載のシステム。
【請求項１３】
前記格納室は、前記格納室上のスレッドと、前記容器の前記第２の端部上のマッチングスレッドとの相互作用によって前記第２の端部に連結されている、請求項１１に記載のシステム。
【請求項１４】
前記格納室は、半透明である、請求項１１に記載のシステム。
【請求項１５】
飲料分配システム用カートリッジであって、
内側チャンバを画成する本体と、
前記内側チャンバへの開口部と、
前記開口部上方に配設された箔シールであって、前記カートリッジの内容物を放出するように穿孔可能な箔シールと、を備え、前記箔シールは、金属上方に配設された封止ポリマーを含み、
前記本体は、多層構造のポリプロピレン、ポリエチレンテレフタレート、及びアルミニウムの少なくとも１つを含む、カートリッジ。
【請求項１６】
前記本体及び前記シールは、高温充填用途及び低温充填用途の両方にそれぞれ耐えることができる、請求項１５に記載のカートリッジ。
【請求項１７】
前記金属は、アルミニウム、金属被覆ポリエステル、又は金属被覆ポリプロピレンを含む、請求項１５に記載のシステム。
【請求項１８】
前記金属被覆ポリプロピレンは、二軸延伸されている、請求項１７に記載のシステム。
【請求項１９】
前記封止ポリマーは、ポリエチレンを含む、請求項１５に記載のシステム。
【請求項２０】
前記カートリッジは、少なくとも２つの別個のチャンバを含む、請求項１５に記載のシステム。
【請求項２１】
前記多層構造は、受動的バリア層を含む、請求項１５に記載のシステム。
【請求項２２】
前記多層構造は、脱酸素剤層を含む、請求項１５に記載のシステム。
【請求項２３】
飲料分配システムであって、
容器と、
前記容器に連結された取り付け機構であって、前記取り付け機構は収容部と、切断部分と、カートリッジ加圧部材とを含み、前記カートリッジ加圧部材は、前記収容部にヒンジ取り付けされており、開放位置と閉鎖位置との間で回転可能である、取り付け機構と、
カートリッジを開口するために第１の位置と第２の位置との間で移動するように構成されたドーム部分と、を備える、飲料分配システム。
【請求項２４】
前記飲料分配システムは、前記収容部で前記取り付け機構に係合するように適合されたカートリッジを更に備え、前記カートリッジは、剛性本体によって画成された第１のチャンバと、開口部と、前記開口部上方に位置する穿孔可能なカバーとを含み、前記第２の位置で、前記ドーム部分は、前記カバーを前記切断部分に押し付け、それによって前記第１のチャンバを開口して内容物を前記容器に分配する、請求項２３に記載の飲料分配システム。
【請求項２５】
前記ドーム部分は、前記カートリッジ加圧部材上に設けられている、請求項２３に記載の飲料分配システム。
【請求項２６】
前記ドーム部分は、前記カートリッジ加圧部材が閉鎖位置にあるときに第１の位置と第２の位置との間で移動するように構成されている、請求項２３に記載の飲料分配システム。
【請求項２７】
前記ドーム部分は、シリコーンを含む、請求項２３に記載の飲料分配システム。
【請求項２８】
前記第１の位置で、前記ドーム部分は、前記剛性本体から離間されており、前記第２の位置で、前記ドーム部分は、前記剛性本体に直に接触する、請求項２３に記載の飲料分配システム。
【請求項２９】
前記ドーム部分は、前記ドーム部分への外部的に印加された圧力で前記第１の位置から前記第２の位置に移動する、請求項２３に記載の飲料分配システム。
【請求項３０】
前記ドーム部分は、可撓性である、請求項２３に記載の飲料分配システム。
【請求項３１】
前記カートリッジは、剛性本体によって画成された第２のチャンバと、開口部と、前記第２のチャンバの前記開口部上方に位置する穿孔可能なカバーとを含み、前記切断部分は、第２の切断部分を備え、前記第２の位置で、前記ドーム部分は、前記第２のチャンバの前記剛性本体に係合して前記第２のチャンバの前記開口部を前記第２の切断部分に押し付け、それによって前記第２のチャンバを開口して内容物を前記容器に分配する、請求項２３に記載の飲料分配システム。
【請求項３２】
前記カートリッジは、前記第１のチャンバと前記第２のチャンバとの間の可撓性フランジを含む、請求項３１に記載の飲料分配システム。
【発明の詳細な説明】
【技術分野】
【０００１】
本発明は、飲料ディスペンサに一般に関し、より詳しくは、ポストミックス飲料システムに関する。
【背景技術】
【０００２】
飲料が様々な異なる形式の容器で市場に出され、配送されて、販売されていることが知られている。利用される形式の容器は、例えば、飲料が市場に出される対象となる消費者、流通経路、及び／又は、販売される飲料の数量を含め、いくつかの要素に左右される場合がある。この点に関しては、消費者向けに市場に出される飲料は、ペットボトルで流通されることが多い。しかしながら、残念ながら、ペットボトルの大部分は、廃棄物として処分されている。再利用への取り組みが増加する一方で、再利用が利用可能ではないか又は実現可能ではない地域では、ペットボトルは、購入されて消費されている。更に、ペットボトルを封止するのに使用されたプラスチック蓋は、一般的に再生利用可能ではなく、結局は、廃棄物、又は、なお悪いことには、環境を通してごみとなっている。更に、これらの無駄なペットボトルはまた、「マルチパック」としても市場に出されて販売され、マルチパックでは、シュリンクラップ及び／又は段ボールなど更なる包装を利用して、個々のペットボトルをマルチパックとして共に収容する必要がある。したがって、そのような従来技術による配送機構は、膨大な量の望ましくない不要な廃棄物を生成している。
【０００３】
大部分の従来技術による容器は、不利な環境影響を与えるばかりではなく、貴重な空間も小売環境及び一般家庭などエンドユーザの場所の両方で使用している。「ポストミックス」システムと知られている過去のシステムは、これらの欠点の一部を、水など液体で希釈されるように考案された濃縮飲料シロップを販売することによって軽減しようとした。既知のポストミックスシステムによってペットボトルなど他の配送機構に関連した廃棄物は減っているが、これらのシステムには、大量の飲料を販売する小売施設以外に、消費者が使用するには複雑かつ煩雑すぎる大規模な高額システムが必要である。そのような施設にとってさえ、これらの従来のポストミックスシステムを維持するために必要とされる知識及び経費は面倒である。更に、過去のシステムは、確実に適正な量のシロップが液体と適切に組み合わされるようにするためには較正が定期的に必要であることが知られている。この点に関しては、機械の較正ミス又は故障があっても、数名の顧客から飲料の味に関する苦情があってからはじめて発見されることが多く、シロップと液体の比率を点検して直すには更なる時間が必要である。
【０００４】
更に、大多数の飲料は、ペットボトルで販売され、大部分の使用済みのペットボトルは、結局は、埋立地ごみ及びごみとなっている。ポストミックスシステムは、消費者に水で希釈されるように考案された濃縮飲料シロップを提供し、したがって、ペットボトルが減り、潜在的に不要になっている。大部分の利用可能なシステムは、家庭電化製品であり、生活様式が移動が多く活発な活動的な人たちには携帯性がない。更に、１日に複数の飲物を飲みたいと思う活動的な消費者は、使いやすく、携帯用の、携行しやすい製品を必要としている。現行のポストミックスシステムは、栄養補助食品、ビタミン、薬草など機能性食品を投与する選択肢がない。
【発明の概要】
【０００５】
以下は、態様の少なくとも一部の基本的な理解することができるように本発明の態様の一般的な要約を提示する。この要約は、本発明の広範囲な概要と意図されていない。本発明の重要な又は極めて重要な要素を特定するか、又は、本発明の範囲の示すことは意図されていない。以下の要約は、単に、より詳細な説明の前置きとして一般的な形で本発明の一部の概念を提示する。
【０００６】
本発明の態様は、容器、容器内に位置する取り付け機構、及び、取り付け機構に係合するように適合されたカートリッジを備える飲料分配システムに関する。取り付け機構は、係合アセンブリ、穿孔部分、及び弁を備えることができる。カートリッジは、ポッド及びキャップを備える。ポッドは、チャンバ、開口部、及び、開口部上方に位置するカバーを含み、キャップは、チャンバの頂部に取り付けられている。更に、カートリッジが取り付け機構と係合されたとき、係合アセンブリは、カートリッジを取り付け機構内に保持し、穿孔部分は、キャップ及びカバーを穿孔し、弁は、容器内へ延びる。
【０００７】
本発明の更なる態様は、箔保持具を含むキャップに関し、カートリッジが係合アセンブリに係合するとき、穿孔部分は、箔保持具を押し付け、それにより箔保持具を有するカバーを穿孔する。更に、箔保持具は、カバーがカートリッジの開口にわたって閉じることを可能にすることなくカバーを保持することができる。
【０００８】
本発明の更なる態様は、一般的に、円形状の容器であるカートリッジ及びポッドに関する。更に、カートリッジは、１つ又は２つ以上の飲料成分を保持することができ、飲料成分は、シロップ、ペースト、粉末、顆粒、又は他の組成を含むリストから選択されてもよい。
【０００９】
本発明の更なる態様は、ドーム状容器として画成されたカートリッジの第１の開口部及び第２の開口部を含むハウジングを備える飲料システムに関する。カートリッジは、飲料成分を収容し、カートリッジは、第１の開口部の内側に受容されるようにサイズ決め及び成形されている。カートリッジは、カートリッジ内の飲料成分を封止するためにカートリッジ全体にわたって位置決めされた封止材料を含むことができる。飲料システムはまた、給水システムも含むことができる。給水システムは、一端で水供給源に、反対端で針に作動上接続された給水管路を含むことができる。針は、封止材料及びカートリッジを穿刺する尖った開口端を画成することができる。更に、針がカートリッジ内に位置決めされると、水は、カートリッジに進入し、飲料成分と混合して、所望の飲料を形成する。更に、第２の開口部は、飲料カップを受容するようにサイズ決め及び成形することができ、飲料カップは、飲料システムからの所望のものを保持することができる。
【００１０】
本発明の更なる態様は、飲料分配システムを使用して飲料を生成する方法に関する。この方法は、（ａ）カートリッジを容器に挿入するステップであって、カートリッジは、ポッド及びキャップを備え、ポッドは、チャンバ、開口部、及び、開口部上方に位置するカバーを含む、ステップと、（ｂ）カートリッジを取り付け機構内の場所に回転させるか又は位置決めするステップであって、取り付け機構は、係合アセンブリ、穿孔部分、及び弁を備える、ステップと、（ｃ）圧力をカートリッジ上に印加し、それによって弁を容器に解放して、カバーを穿孔部分で穿孔するステップと、（ｄ）容器の内容物を混合するステップと、（ｅ）カートリッジを容器から解放するステップと、を含む。
【００１１】
本発明の更なる態様は、容器、容器に連結された取り付け機構、及びドーム部分を備える飲料分配システムに関する。取り付け機構は、収容部、切断部分、及びカートリッジ加圧部材を有する。カートリッジ加圧部材は、収容部にヒンジ取り付けされ、開放位置と閉鎖位置との間で回転可能とすることができる。ドーム部分は、収容部内に保持されているカートリッジを開口するために第１の位置と第２の位置との間で移動するように構成することができる。
【図面の簡単な説明】
【００１２】
本発明及びその特定の利点のより完全な理解は、添付図面と共に考慮して以下の記載を参照することによって得ることができ、図中、同じ数字は、同じ特徴を示す。
【００１３】
【図１】本発明による飲料分配システムの斜視図を示す。
【００１４】
【図１Ａ】本発明による図１の飲料分配システムの断面図を示す。
【００１５】
【図２Ａ】本発明による図１の飲料分配システムの一部分の詳細図を示す。
【図２Ｂ】本発明による図１の飲料分配システムの一部分の詳細図を示す。
【００１６】
【図２Ｃ】本発明による図１の飲料分配システムの一部分の別の詳細図を示す。
【図２Ｄ】本発明による図１の飲料分配システムの一部分の別の詳細図を示す。
【００１７】
【図３】本発明による図１の飲料分配システム用の例示的なカートリッジを示す。
【図３Ａ】本発明による図１の飲料分配システム用の例示的なカートリッジを示す。
【図３Ｂ】本発明による図１の飲料分配システム用の例示的なカートリッジを示す。
【図３Ｃ】本発明による図１の飲料分配システム用の例示的なカートリッジを示す。
【図３Ｄ】本発明による図１の飲料分配システム用の例示的なカートリッジを示す。
【００１８】
【図４Ａ】本発明による図１の飲料分配システムの動作の斜視図を示す。
【図４Ｂ】本発明による図１の飲料分配システムの動作の斜視図を示す。
【図４Ｃ】本発明による図１の飲料分配システムの動作の斜視図を示す。
【図４Ｄ】本発明による図１の飲料分配システムの動作の斜視図を示す。
【図４Ｅ】本発明による図１の飲料分配システムの動作の斜視図を示す。
【図４Ｆ】本発明による図１の飲料分配システムの動作の斜視図を示す。
【００１９】
【図５Ａ】本発明による飲料分配システム用容器の様々な実施例を示す。
【図５Ｂ】本発明による飲料分配システム用容器の様々な実施例を示す。
【図６Ａ】本発明による飲料分配システム用容器の様々な実施例を示す。
【図６Ｂ】本発明による飲料分配システム用容器の様々な実施例を示す。
【図７Ａ】本発明による飲料分配システム用容器の様々な実施例を示す。
【図７Ｂ】本発明による飲料分配システム用容器の様々な実施例を示す。
【図８Ａ】本発明による飲料分配システム用容器の様々な実施例を示す。
【図８Ｂ】本発明による飲料分配システム用容器の様々な実施例を示す。
【００２０】
【図９Ａ】本発明による飲料分配システム用取り付け機構の様々な実施例を示す。
【図９Ｂ】本発明による飲料分配システム用取り付け機構の様々な実施例を示す。
【図１０Ａ】本発明による飲料分配システム用取り付け機構の様々な実施例を示す。
【図１０Ｂ】本発明による飲料分配システム用取り付け機構の様々な実施例を示す。
【図１１Ａ】本発明による飲料分配システム用取り付け機構の様々な実施例を示す。
【図１１Ｂ】本発明による飲料分配システム用取り付け機構の様々な実施例を示す。
【図１２Ａ】本発明による飲料分配システム用取り付け機構の様々な実施例を示す。
【図１２Ｂ】本発明による飲料分配システム用取り付け機構の様々な実施例を示す。
【図１３Ａ】本発明による飲料分配システム用取り付け機構の様々な実施例を示す。
【図１３Ｂ】本発明による飲料分配システム用取り付け機構の様々な実施例を示す。
【００２１】
【図１４Ａ】本発明による例示的な半ポッドカートリッジを示す。
【図１４Ｂ】本発明による例示的な半ポッドカートリッジを示す。
【図１４Ｃ】本発明による例示的な半ポッドカートリッジを示す。
【００２２】
【図１５】本発明による代替飲料システムの様々な実施例を示す。
【図１６】本発明による代替飲料システムの様々な実施例を示す。
【図１７】本発明による代替飲料システムの様々な実施例を示す。
【００２３】
【図１８Ａ】本発明による数多くの構成で使用し得る飲料システムの様々な実施例を示す。
【図１８Ｂ】本発明による数多くの構成で使用し得る飲料システムの様々な実施例を示す。
【図１８Ｃ】本発明による数多くの構成で使用し得る飲料システムの様々な実施例を示す。
【図１９】本発明による数多くの構成で使用し得る飲料システムの様々な実施例を示す。
【図２０】本発明による数多くの構成で使用し得る飲料システムの様々な実施例を示す。
【図２１】本発明による数多くの構成で使用し得る飲料システムの様々な実施例を示す。
【図２２】本発明による数多くの構成で使用し得る飲料システムの様々な実施例を示す。
【図２３】本発明による数多くの構成で使用し得る飲料システムの様々な実施例を示す。
【００２４】
【図２４】本発明による飲料システムの代替実施例を示す。
【００２５】
【図２５】本発明による図１５〜図１７の飲料システムと共に使用される例示的な針を示す。
【００２６】
【図２６Ａ】本発明による例示的な代替飲料分配システムの斜視図を示す。
【図２６Ｂ】本発明による例示的な代替飲料分配システムの斜視図を示す。
【００２７】
【図２７Ａ】本発明による図２６Ａ及び図２６Ｂの例示的な代替飲料分配システムの拡大斜視図を示す。
【図２７Ｂ】本発明による図２６Ａ及び図２６Ｂの例示的な代替飲料分配システムの拡大斜視図を示す。
【００２８】
【図２８Ａ】本発明による図２６Ａ及び図２６Ｂの飲料分配システムで利用される例示的な代替カートリッジを示す。
【００２９】
【図２９Ａ】本発明による複数のカートリッジ２６５０用のマルチパック構成２６７０を示す。
【図２９Ｂ】本発明による複数のカートリッジ２６５０用のマルチパック構成２６７０を示す。
【図２９Ｃ】本発明による複数のカートリッジ２６５０用のマルチパック構成２６７０を示す。
【００３０】
【図３０Ａ】本発明による飲料分配システムの側面図を示す。
【００３１】
【図３０Ｂ】図３０Ａに示す飲料分配システムの上面図を示す。
【００３２】
【図３１Ａ】図３０Ａに示す飲料分配システムの正面図を示す。
【００３３】
【図３１Ｂ】図３０Ａに示す飲料分配システムの別の上面図を示す。
【００３４】
【図３２】図３０Ａに示す飲料分配システムの部分断面図を示す。
【００３５】
【図３３Ａ】本発明による飲料分配システムの側面図を示す。
【００３６】
【図３３Ｂ】図３３Ａに示す飲料分配システムの上面図を示す。
【００３７】
【図３４】図３３Ａに示す飲料分配システムの部分断面図を示す。
【００３８】
【図３５】図３３Ａに示す飲料分配システムの別の部分断面図を示す。
【００３９】
【図３６Ａ】本発明による飲料分配システムの側面図を示す。
【００４０】
【図３６Ｂ】図３６Ａに示す飲料分配システムの上面図を示す。
【００４１】
【図３７Ａ】本発明による飲料分配システムの側面図を示す。
【００４２】
【図３７Ｂ】図３７Ａに示す飲料分配システムの斜視図を示す。
【００４３】
【図３８Ａ】本発明による飲料分配システムの斜視図を示す。
【００４４】
【図３８Ｂ】カートリッジを有する図３８Ａに示す飲料分配システムを示す。
【００４５】
【図３９】図３８Ａに示す飲料分配システムの上面図を示す。
【００４６】
【図４０】本発明による例示的なカートリッジを示す。
【００４７】
読者は、添付の図面が必ずしも一定の比率で描かれていないことに留意されたい。
【発明を実施するための形態】
【００４８】
本発明による様々な実施例の以下の説明において、その実施形態の一部を形成する添付図面が参照され、添付図面には、実例として、本発明の態様を実践することができる様々な例示的な構造、システム、及びステップが示される。本発明の範囲から逸脱することなく、他の特定の部品の配置、構造、例示的なデバイス、システム、及びステップを使用することができ、構造的及び機能的な変形を行うことができることを理解されたい。また、「上部」、「底部」、「前面」、「後面」、「側面」、及び同類の用語は、本仕様書において、本発明の様々な例示的な特徴及び要素を説明するために使用され得るが、これらの用語は、例えば図に示される例示的な配向又は典型的な使用中の配向に基づいて、本明細書において便宜上使用される。本明細書におけるいずれの記載も、本発明の範囲に入るために構造の三次元配向を必要とするものと解釈されるべきではない。
【００４９】
図１は、本発明による飲料分配システム１００の実施例を示す。飲料分配システム１００は、容器１１０、取り付け機構１２０、及びカートリッジ１５０を備える。容器１１０は、カートリッジ１５０の内容物と混合されるべき、水などの混合溶液又は液体を保持することができる。取り付け機構１２０は、一般的に容器１１０内に位置する。カートリッジ１５０は、一般的に、容器１１０に分配されるようにカートリッジ１５０を開くために取り付け機構１２０と係合し、それによって飲用飲料を作り出すためにカートリッジ１５０の内容物が容器１１０内の液体と結合する。
【００５０】
容器１１０は、図１に示すように、一般的に、瓶の形状とすることができる。容器１１０は、本発明から逸脱することなく、様々な他の形状であってもよい。容器１１０は、キャップ１１２を含むことができる。キャップ１１２は、開口部をユーザが容器１１０から飲むことができる容器１１０の頂部で封止することができる。更に、容器１１０は、基部つまりベゼル１１４を含むことができる。カートリッジ１５０を取り付け機構１２０と係合するために、カートリッジ１５０を基部又はベゼル１１４に挿通することができる。図１に示すように、この基部つまりベゼル１１４は、容器１１０の底部に位置する。基部つまりベゼル１１４は、以下で論じるように、本発明から逸脱することなく、容器１１０の異なる領域に位置することができる。
【００５１】
取り付け機構１２０は、図１及び図１Ａに示すように、係合アセンブリ１２２、穿孔部分１２４、及び弁アセンブリ１２６を備える。係合アセンブリ１２２は、一般的に、カートリッジ１５０を取り付け機構１２０内で受容することができる。穿孔部分１２４は、一般的に、カートリッジ１５０を穿孔することができ、それによって、カートリッジ１５０の内容物を容器１１０内に放出する。弁アセンブリ１２６は、一般的に、カートリッジ１５０が取り付け機構１２０と係合すると開口することができ、それによって、容器１１０の内容物とカートリッジ１５０の内容物との混合を可能にする。
【００５２】
係合アセンブリ１２２は、容器１１０においてカートリッジ１５０に係合するとカートリッジ１５０を保持するロック機構１２８を含むことができる。ロック機構１２８は、カートリッジ１５０と一致して、カートリッジ１５０に係合するリブ１３０を含むことができる。ロック機構１２８はまた、ばね（図１Ａには図示せず）を含むこともでき、カートリッジ１５０が係合アセンブリ１２２に挿入されたとき、ばねはより容易にリブ１３０に係合する付勢力をカートリッジ１５０に提供するようになっている。更に、ロック機構１２８は、カム又はレバー１３４を含むことができ、カートリッジ１５０がロック後の位置へスナップ嵌合したとき、穿孔部分１２４及び弁アセンブリ１２６は、以下で説明するように係合するようになっている。ばねは、カートリッジ１５０がロック後の位置へスナップ嵌合したときにカートリッジ１５０に対してもまた付勢するができる。
【００５３】
更に、係合アセンブリ１２２は、解放機構１３６を含むことができ、解放機構１３６は、ロック機構１２８を解放してカートリッジ１５０を解放する。解放機構１３６は、回転ベゼルの形とすることができ、ユーザは、（図４Ｆに示すように）ベゼルを回転させることによってカートリッジ１５０を解放することができる。ベゼルの回転は、カートリッジ１５０を排出して取り付け機構１２０を開始位置に戻すことができる。更に、解放機構１３６は、解放ボタン又は解放レバーの形とすることができ、ユーザは、解放ボタンを押すか、又は、解放レバーをスライドさせてカートリッジ１５０を解放することができる。カートリッジ１５０を解放する他の手段も、本発明から逸脱することなく、係合アセンブリ１２２と共に使用されてもよい。
【００５４】
係合アセンブリ１２２はまた、カートリッジ封止部分１３８を含むことができる。カートリッジ封止部分１３８は、カートリッジ１５０がロック後の位置へスナップ嵌合したときにカートリッジ１５０の頂部の周りの領域を係合アセンブリ１２２に対して封止する。カートリッジ封止部分１３８は、混合プロセス中に液体又は溶液がカートリッジ１５０内に収容されていることを確実にする。カートリッジ封止部分１３８は、本発明によるガスケット、Ｏリング、又は、グロメット、又は、他の封止構造体を含んでもよい。カートリッジ封止部分１３８は、本発明によるゴム、プラスチック、又は、金属、又は、その他の材料で作製されてもよい。
【００５５】
図１に示すように、取り付け機構１２０の穿孔部分１２４は、開口構造体１４０を含むことができる。穿孔部分１２４は、カム又はレバー１３４と協働して係合することができ、カートリッジ１５０が係合アセンブリ１２２に押し込まれたとき、カートリッジ１５０は、穿孔部分１２４に押し付けられ、穿孔部分１２４は、ポッド１５２の開口部１５８へスライドするようになっている。開口構造体１４０は、カートリッジ１５０のカバー１６０を穿孔するほど鋭いとすることができ、それによって、ポッド１５２上のカバー１６０が破断して、カートリッジ１５０の内容物は、容器１１０の内容物と混合することができる。
【００５６】
本発明による別の実施例では、開口構造体１４０は、以下で説明するように箔保持具１６６と協働して、特にフラップつまり箔保持具１６６上の保持部分１７０と対応するような形状とすることができる。この実施例では、カートリッジ１５０が穿孔部分１２４に押し付けられたとき、開口構造体１４０は、圧力を箔保持具１６６、特に箔保持具１６６上のフラップつまり保持部分１７０に加える。開口構造体１４０からの圧力によって、フラップ１７０は、破断開口し、カバー１６０（存在する場合）に畳み込まれ、それによって、ポッド１５２上のカバー１６０が穿孔され、カートリッジ１５０の内容物は、容器１１０の内容物と混合することができる。開口構造体１４０の特定の配置及び構成は、開口構造体１４０が箔保持具１６６に適切に圧力を加えて箔保持具１６６を破断するために箔保持具１６６上のフラップ１７０と一致する必要があることに留意することが重要である。開口構造体１４０及び箔保持具１６６上のフラップ１７０が一致しない場合、カートリッジ１５０がロック後の位置に押し込まれたときにカバー１６０が破断しない可能性がある。
【００５７】
穿孔部分１２４はまた、内部封止部分１４２を含むことができる。内部封止部分１４２は、カートリッジ１５０がロック後の位置へスナップ嵌合したときに開口構造体１４０の周りの領域を封止する。内部封止部分１４２は、混合プロセス中に液体又は溶液がカートリッジ１５０内に収容されていることを確実にする。
【００５８】
弁アセンブリ１２６は、図１Ａに示すように、一般的に、カートリッジ１５０が取り付け機構１２０と係合すると開口することができ、それによって、容器１１０の内容物とカートリッジ１５０の内容物との混合を可能にする。弁アセンブリ１２６は、弁１４４及び昇降体１４６を含むことができる。弁１４４は、昇降体１４６と、及び、係合アセンブリ１２２のカム又はレバー１３４と協働して係合することができ、カートリッジ１５０がロック後の位置へスナップ嵌合して係合アセンブリ１２２のカム又はレバー１３４に係合したとき、弁１４４は、閉鎖位置から開放位置に移動するようになっている。一般的に、圧力がカートリッジ１５０に印加されてカートリッジ１５０がロック後の位置へスナップ嵌合したとき、昇降体１４６は移動し、それによって、弁１４４に係合して弁１４４を開放位置に移動させる。
【００５９】
本発明による１つの実施例では、図２Ａ及び図２Ｂに示すように、弁アセンブリ１２６は、ドアタイプの弁１４４Ａの形とすることができる。弁１４４Ａは、図２Ａ及び図２Ｂに示すように、片側で蝶着することができ、圧力がカートリッジ１５０Ａに印加され、それによって昇降体１４６Ａ及びばね１３２Ａに印加されると、弁１４４Ａは、開放位置に揺動して容器１１０に入るようになっている。更に、カートリッジ１５０Ａが押されると、開口構造体１４０Ａは、カートリッジ１５０Ａへ移動する。弁１４４Ａが開放位置に揺動して容器１１０に入ると、カートリッジ１５０Ａの内容物及び容器１１０の内容物は、混合することができる。
【００６０】
本発明による別の実施例では、図２Ｃ及び図２Ｄに示すように、弁アセンブリ１２６は、プランジャタイプの弁１４４Ｂの形とすることができる。弁１４４Ｂは、図２Ｃ及び図２Ｄに示すように、圧力がカートリッジ１５０Ｂに印加され、それによって昇降体１４６Ｂ及びばね１３２Ｂに印加されると、容器１１０へ単体としてスライドすることができる。昇降体１４６Ｂが弁１４４Ｂに押し付けられたとき、弁１４４Ｂは、閉鎖位置から開放位置に移動して容器１１０へ移動する。更に、カートリッジ１５０Ｂが押されると、開口構造体１４０Ｂは、カートリッジ１５０Ｂへ移動する。弁１４４Ｂが開放位置にスライドすると、カートリッジ１５０Ｂの内容物及び容器１１０の内容物は、混合することができる。
【００６１】
弁アセンブリ１２６はまた、弁封止部分１４８を含むことができる。弁封止部分１４８は、カートリッジ１５０がロック後の位置へスナップ嵌合されないとき、弁１４４とび容器１１０との間の領域を封止する。係合アセンブリ１２２内でカートリッジ１５０が係合する前に、容器１１０は、液体を収容することができ、弁封止部分１４８は、カートリッジ１５０がなくて弁１４４が閉鎖位置にあるときに液体又は溶液が容器１１０内に収容されていることを確実にする。カートリッジ封止部分１４８は、本発明によるガスケット、Ｏリング、又は、グロメット、又は、他の封止構造体を含んでもよい。カートリッジ封止部分１４８は、本発明によるゴム、プラスチック、又は、金属、又は、その他の材料で作製されてもよい。
【００６２】
カートリッジ１５０は、図３及び図３Ａに示すように、ポッド１５２及びキャップ１５４を備えることができる。カートリッジ１５０は、係合アセンブリ１２２で取り付け機構１２０に係合するように適合されている。カートリッジ１５０は、１つ又は２つ以上の飲料成分を保持することができ、飲料成分は、シロップ、ペースト、粉末、顆粒、又は他の組成を含むリストから選択されてもよい。更に、カートリッジ１５０は、本発明による栄養分又はビタミンなど他の成分又は風味を保持してもよい。
【００６３】
ポッド１５２は、一般的に、シロップ、ペースト、粉末、顆粒、又は他の組成を保持することができる容器である。ポッド１５２は、図３及び図３Ａに示すように、チャンバ１５６、開口部１５８、及びカバー１６０を含む円形状の構造である。カバー１６０は、ポッド１５２の開口部１５８上方に位置することができる。係合部分１６２は、開口部１５８の近くに位置することができ、係合部分１６２は、キャップ１５４に係合するスナップ構造体とすることができる。更に、ポッド１５２上の係合部分１６２は、キャップ１５４上のねじ付き構造部に係合することができるスレッドを含むことができる。
【００６４】
図３Ｃ及び図３Ｄに示すように、カバー１６０は、ポッド１５２の開口部１５８上方に位置する箔シールとすることができる。カバー１６０は、ポッド１５２の開口部１５８の縁部に取り付けられてもよい。カバー１６０は、本発明によるアルミニウム及び封止コーティング、又は、ポリエチレンのような封止ポリマー積層物、金属被覆二軸延伸（bioriented）ポリプロピレン及び封止コーティング、又は、ポリエチレンのような封止ポリマー積層物、又は、金属被覆ポリエステル及び封止コーティング、又は、ポリエチレンのような封止ポリマー積層物など様々な異なる材料で作製されてもよい。
【００６５】
本発明による更なる実施例では、ポッド１５２は、ロック部分１６４を含むことができる。ロック部分１６４は、カートリッジ１５０を取り付け機構１２０にスナップ嵌合するために取り付け機構１２０の係合アセンブリ１２２と係合することができる。
【００６６】
図３Ｃに示すように、キャップ１５４は、チャンバ１５６の頂部に取り付けられてもよい。キャップ１５４は、スナップオンタイプのキャップとすることができ、キャップ１５４は、チャンバ１５６の頂部上にスナップ嵌めすることができる。キャップ１５４はまた、チャンバ１５６の頂部上に螺合することによってチャンバ１５６の頂部に取り付けることもできる。キャップ１５４は、本発明から逸脱することなく、ポリエチレン、ポリプロピレン、又は、Ｈｙｇｕａｒｄ（商標）、Ｃｅｌｏｘ（商標）などの構成要素のような、脱酸素剤を収容する内部ライナを有するポリエチレン又はポリプロピレンクロージャなど様々な異なる材料で作製されてもよい。
【００６７】
本発明による更なる実施例では、キャップ１５４は、箔保持具１６６を含むことができる。箔保持具１６６は、キャップ１５４の中心に位置する円板の形状とすることができる。箔保持具１６６は、切り抜き部分１６８を含むことができ、それによって、圧力で崩れてしまうことができるフラップつまり保持部分１７０が箔保持具１６６上にできる。これらのフラップ１７０は、上述したように、特に開口構造体１４０と協働するように考案されている。開口構造体１４０がフラップ１７０に押し付けられてフラップ１７０が押し開かれたとき、フラップ１７０は、バー１６０を穿孔してポッド１５２へ畳み込まれ、それによって、カートリッジ１５０の内容物が容器１１０の内容物で自由に混合することができるようにカバー１６０の穿孔により切断された部分は、開口保持される。図３Ａに示すように、切り抜き部分１６８は、十字形とすることができ、それによって、４つの三角形のフラップ１７０ができる。本発明による他の実施例では、箔保持具１６６Ａ〜１６６Ｈは、図３Ｂに示す形状の切り抜き部分１６８及びフラップ１７０を含むことができる。更なる形状が、本発明から逸脱することなく、切り抜き部分１６８及びフラップ１７０に使用されてもよい。箔保持具１６６がキャップ１５４と共に使用されるとき、カバー１６０は、使用される場合があるが、又は、使用されない場合がある。箔保持具１６６は、本発明から逸脱することなく、ポリエチレン、ポリプロピレン、又は、Ｈｙｇｕａｒｄ（商標）、Ｃｅｌｏｘ（商標）、の構成要素のような脱酸素剤を収容する内部ライナを有するポリエチレン又はポリプロピレンクロージャなど様々な異なる材料、又は、圧力が開口構造体１４０から印加されたときに破断するほど可撓性であり、カバー１６０を切断又は穿孔しても所定の位置のままであり、それによって、カバー１６０が開口状態に保つほど硬質である任意の他の材料で作製されてもよい。図３Ｃ及び図３Ｄに示すように、カートリッジ１５０は、キャップ１５４を有するカバー１６０を含まなくてもよいか、又は、カートリッジ１５０は、キャップ１５４のないカバー１６０を含んでもよい。
【００６８】
本発明による更なる実施例では、キャップ１５４は、位置決め部分１７２を含むことができる。位置決め部分１７２は、図３Ａに示すように、係合アセンブリ１２２と係合してカートリッジ１５０を取り付け機構１２０内に適切に位置決めする。
【００６９】
ポッド１５２は、本発明から逸脱することなく様々な材料で作製されてもよい。例えば、ポッド１５２は、ポリエチレンテレフタレート（ＰＥＴ）で作製されてもよい。更に、ポッド１５２は、ＳｉＯｘ又はアモルファス炭素のプラズマ応用コーティング、ポリアミド、ポリグリコール酸、Ａｍｏｓｏｒｂ（商標）、ＤｉａｍｏｎｄＣｌｅａｒ（商標）、又は、Ｈｙｇｕａｒｄ（商標）の構成要素のような受動的バリア材及び／又は脱酸素剤と（混合によって及び／又は多層構造を使用することによって）組み合わせてＰＥＴで作製されてもよい。更に、ポッド１５２は、ポリアミド、エチレンビニルアルコールのような受動的バリア材及び／又は脱酸素剤と（混合によって及び／又は多層構造を使用することによって）組み合わせてポリエチレン又はポリプロピレンで作製されてもよい。更に、ポッド１５２は、アルミニウムで作製されてもよい。単独又はバリアシステムと組み合わせた材料が酸素感応である一部の飲料又は他の製品を保護するように、及び、水の過剰な損失を回避するために、他の材料は、本発明によるポッド１５２に使用されてもよい。
【００７０】
図４Ａ〜図４Ｆは、本発明の実施例による飲料分配システムの作動を示す。上述した飲料分配システム１００の準備が図４Ａ〜図４Ｆに示されている。図４Ａに示すように、カートリッジ１５０を、容器１１０の基部内に位置するように取り付け機構１２０に挿入する。カートリッジ１５０は、キャップと共に取り付け機構１２０の方に挿入することができる。
【００７１】
図４Ｂに示すように、カートリッジ１５０を回転させて、カートリッジ１５０が適切な場所に位置することを確認することができる。キャップ上に位置する位置決め部分１７２は、カートリッジ１５０を取り付け機構１２０内に適切に位置決めするために係合アセンブリ１２２と係合する。更に、カートリッジ封止部分１３８は、カートリッジ１５０が取り付け機構１２０に挿入されたときにカートリッジ１５０の頂部の周りの領域を係合アセンブリ１２２に対して封止する。カートリッジ封止部分１３８は、混合プロセス中に液体又は溶液がカートリッジ１５０内に収容されていることを確実にする。
【００７２】
図４Ｃに示すように、カートリッジ１５０を取り付け機構１２０に押し込むことができ、それによって、係合アセンブリ１２２に係合してカートリッジ１５０がロック後の位置に押し込まれる。カートリッジ１５０が係合アセンブリ１２２と係合すると、穿孔部分１２４の開口構造体１４０は、ポッド１５２上の開口部及びカバー１６０を穿孔し、それによって、カートリッジ１５０の内容物を容器１１０内に放出する。更に、カートリッジ１５０が係合アセンブリ１２２と係合すると、弁アセンブリ１２６に係合し、弁封止部分１４８は、容器１１０から解放される。弁１４４は、開口して容器１１０に入る。開口部１５８及びカバー１６０が穿孔されて弁１４４が開口すると、容器１１０の内容物及びカートリッジ１５０の内容物は、この時点で共に混合することができる。
【００７３】
図４Ｄに示すように、容器１１０は、容器１１０の内容物及びカートリッジ１５０の内容物を混合するために回転又は振動させることができる。この振動運動によって、内容物同士が共に混合し、それによって、所望の飲料ができる。図４Ｅに示すように、飲料は、この時点で現在、消費される準備ができている。
【００７４】
飲料がユーザによって消費されると、解放機構１３６を使用することによってカートリッジ１５０を取り付け機構１２０から解放することができる。図４Ｆに示すように、解放機構１３６は、回転ベゼルであり、回転ベゼルは、カートリッジ１５０を排出して取り付け機構１２０を開始位置に戻す。解放機構１３６はまた、先に説明したように解放ボタン又は解放レバーの形であってもよい。
【００７５】
本発明によれば、飲料装置又は機械は、上述したように、容器１１０と同じ作動を実行することができる（図示していない装置）。飲料装置は、上述したようなものと類似の取り付け機構１２０を含むことができ、カートリッジ１５０を取り付け機構１２０に挿入することができる。更に、所望の飲料を保持するために飲料装置の下に又は飲料装置内にガラス又はカップを配置することができる。
【００７６】
カートリッジ１５０が飲料装置の取り付け機構１２０に挿入された後、カートリッジ１５０を取り付け機構１２０に押し込むことができ、それによって、カートリッジ１５０は、ロック後の位置に押し込まれる。カートリッジ１５０が取り付け機構に係合すると、開口構造体１４０は、カートリッジ１５０上のカバー１６０を穿孔し、それによって、カートリッジ１５０の内容物を容器１１０内に放出する。カバー１６０が穿孔されると、第１の供給源からの水又は他の液体の計量された量が、カートリッジ１５０の中へ流れ込むことができる。更に、第２の供給源からの水又は他の液体の計量された量をコップに直に流れ込ませることができる。これらの第１及び第２の流れ込みは、カートリッジ１５０の内容物がコップへ完全に空けられ、カートリッジ１５０の内容物及び水又は他の液体が必要に応じて完全に混合されることを確実にする一助となる。
【００７７】
更に、飲料装置は、容器１１０の内容物及びカートリッジ１５０の内容物を混合するのを支援するためにコップを回転又は振動させる機械的手段を有することができる。この振動運動は、内容物同士を共に混合させることができ、それによって、所望の飲料ができる。飲料がユーザによって消費されると、カートリッジ１５０を飲料装置から取り外すことができる。
【００７８】
図５Ａ〜図８Ｂは、本発明の実施例による更なる容器構成を示す。
【００７９】
図５Ａ及び図５Ｂは、容器５１０の頂部に位置するカートリッジ５５０を有する飲料分配システム５００を示す。図５Ａ及び図５Ｂは、図１〜図４Ｆに関連して上述したものと類似の本発明による実施例を示す（同一又は類似の部品を示すために、図１〜図４Ｆで使用したものと同一又は類似の参照番号を図５Ａ及び図５Ｂで使用する）。本発明による別の実施例では、図５Ａに示すように、飲料分配システム５００は、一般的に、容器５１０、取り付け機構５２０、及びカートリッジ５５０で構成されている。容器５１０は、カートリッジ５５０の内容物と混合されるべき、水などの混合溶液又は液体を保持することができる。カートリッジ５５０は、一般的に、容器５１０に分配されるようにカートリッジ５５０を開口するために取り付け機構５２０と係合し、それによって、飲用飲料を作り出すためにカートリッジ５５０の内容物が容器５１０内の液体と結合する。
【００８０】
この例示的な構成では、取り付け機構５２０は、容器５１０の頂部に位置し、カートリッジ５５０は、容器５１０の頂部で取り付け機構５２０に挿入されるようになっている。更に、容器５１０は、カートリッジ５５０の周りに位置する領域を含むことができ、カートリッジ５５０が容器５１０に取り付けられたとき、ユーザは、容器５１０から飲むことができるようになっている。容器５１０は、飲用のためのカートリッジ５５０の周りの開口領域を含むことができる。更に、解放機構は、容器５１０の側面上に位置することができる。解放機構は、解放ボタン又は解放レバーの形とすることができ、ユーザは、解放ボタンを押すか、又は、解放レバーをスライドさせるとカートリッジを解放することができる。取り付け機構５２０及びカートリッジ５５０は、本発明から逸脱することなく、本出願に記載する構成のいずれかであってもよい。
【００８１】
図６Ａ及び図６Ｂは、容器６１０の頂部に斜めに位置するカートリッジ６５０を有する飲料分配システム６００を示す。図６Ａ及び図６Ｂは、図１〜図４Ｆに関連して上述したものと類似の本発明による実施例を示す（同一又は類似の部品を示すために、図１〜図４Ｆで使用したものと同一又は類似の参照番号を図６Ａ及び図６Ｂで使用する）。本発明による別の実施例では、図６Ａ及び図６Ｂに示すように、飲料分配システム６００は、一般的に、容器６１０、取り付け機構６２０、及びカートリッジ６５０で構成されている。容器６１０は、カートリッジ６５０の内容物と混合されるべき、水などの混合溶液又は液体を保持することができる。カートリッジ６５０は、一般的に、容器６１０に分配されるようにカートリッジ６５０を開口するために取り付け機構６２０と係合し、それによって、飲用飲料を作り出すためにカートリッジ６５０の内容物が容器６１０内の液体と結合する。
【００８２】
この例示的な構成では、取り付け機構６２０は、容器６１０の頂部に斜めに位置し、カートリッジ６５０は、容器６１０の頂角で取り付け機構６２０に挿入されるようになっている。更に、容器６１０は、カートリッジ６５０に隣接して位置する飲み口部（drinking spout）６１６を含むことができ、カートリッジ６５０が容器６１０に取り付けられるとき、ユーザは、容器６１０の飲み口部６１６から飲むことができるようになっている。更に、解放機構６３６は、容器６１０の側面上に位置することができる。解放機構６３６は、解放ボタン又は解放レバーの形とすることができ、ユーザは、解放ボタンを押すか、又は、解放レバーをスライドさせるとカートリッジ６５０を解放することができる。取り付け機構６２０及びカートリッジ６５０は、本発明から逸脱することなく、本出願に記載する構成のいずれかであってもよい。
【００８３】
図７Ａ及び図７Ｂは、ヒンジ７１７を有する容器７１０、及び、容器７１０の中央に位置するカートリッジ７５０を有する飲料分配システム７００を示す。図７Ａ及び図７Ｂは、図１〜図４Ｆに関連して上述したものと類似の本発明による実施例を示す（同一又は類似の部品を示すために、図１〜図４Ｆで使用したものと同一又は類似の参照番号を図７Ａ及び図７Ｂで使用する）。本発明による別の実施例では、図７Ａ及び図７Ｂに示すように、飲料分配システム７００は、一般的に、容器７１０、取り付け機構７２０、及びカートリッジ７５０で構成されている。容器７１０は、カートリッジの内容物と混合されるべき、水などの混合溶液又は液体を保持することができる。カートリッジは、一般的に、容器７１０に分配されるようにカートリッジ７５０を開口するために取り付け機構と係合し、それによって、飲用飲料を作り出すためにカートリッジ７５０の内容物が容器７１０内の液体と結合する。
【００８４】
この例示的な構成では、容器７１０は、容器７１０の頂部７１８などヒンジ部分７１７を有することができ、頂部７１８は、図７Ｂに示すように開放位置まで揺動する。頂部７１８が開放位置にあるとき、カートリッジ７５０を取り付け機構７２０に挿入することができる。取り付け機構７２０は、容器７１０の中央領域に位置することができ、カートリッジ７５０は、頂部７１８が開放位置にあるときに取り付け機構７２０に挿入されるようになっている。カートリッジ７５０が挿入された後、頂部７１８は、図７Ａに示すように、閉鎖位置に揺動して戻ることができる。頂部７１８が閉鎖位置にあるとき、飲料を混合させることができ、ユーザは、容器７１０から飲むことができる。更に、容器７１０は、容器７１０の頂部に位置する飲み口部７１６を含むことができる。更に、解放機構は、容器７１０の側面上に位置することができる。解放機構は、解放ボタン又は解放レバーの形とすることができ、ユーザは、解放ボタンを押すか、又は、解放レバーをスライドさせるとカートリッジ７５０を解放することができる。取り付け機構７２０及びカートリッジ７５０は、本発明から逸脱することなく、本出願に記載する構成のいずれかであってもよい。
【００８５】
図８Ａ及び図８Ｂは、ヒンジ８１７による容器８１０、及び、容器８１０のヒンジ部分８１８に位置するカートリッジ８５０を有する飲料分配システム８００を示す。図８Ａ及び図８Ｂは、図１〜図４Ｆに関連して上述したものと類似の本発明による実施例を示す（同一又は類似の部品を示すために、図１〜図４Ｆで使用したものと同一又は類似の参照番号を図８Ａ及び図８Ｂで使用する）。本発明による別の実施例では、図８Ａ及び図８Ｂに示すように、飲料分配システム８００は、一般的に、容器８１０、取り付け機構８２０、及びカートリッジ８５０で構成されている。容器８１０は、カートリッジ８５０の内容物と混合されるべき、水などの混合溶液又は液体を保持することができる。カートリッジ８５０は、一般的に、容器８１０に分配されるようにカートリッジ８５０を開口するために取り付け機構８２０と係合し、それによって、飲用飲料を作り出すためにカートリッジ８５０の内容物が容器８１０内の液体と結合する。
【００８６】
この例示的な構成では、容器８１０は、容器８１０上の蓋８１８などヒンジ部分８１７を有することができ、蓋８１８は、図８Ｂに示すように、開放位置に揺動する。蓋８１８は、容器８１０の頂部に位置する取り付け機構８２０を含むことができる。蓋８１８が開放位置にあるときに、カートリッジ８５０を取り付け機構８２０に挿入することができる。カートリッジ８５０が挿入された後、蓋８１８は、図８Ａに示すように、閉鎖位置に揺動して戻ることができる。蓋８１８が閉鎖位置にあるとき、飲料を混合させることができ、ユーザは、容器８１０から飲むことができる。更に、容器８１０は、カートリッジ８５０の周りで容器８１０の頂部に位置する飲用領域を含むことができる。更に、ユーザは、蓋８１８が開放位置にあるときに容器８１０から飲むことができる。解放機構は、容器８１０の頂部側上に位置することができる。解放機構は、解放ボタン又は解放レバーの形とすることができ、ユーザは、解放ボタンを押すか、又は、解放レバーをスライドさせてカートリッジ８５０を解放することができる。取り付け機構８２０及びカートリッジ８５０は、本発明から逸脱することなく、本出願に記載する構成のいずれかであってもよい。
【００８７】
本発明から逸脱することなく、更なる容器構成が利用されてもよい。複数のカートリッジ又はより大きいカートリッジを保持することができる複数回給仕用（multi−serve）容器、スープなど流動食を保持する容器、取り付け機構を収容する上部を取り外すことによってコップとして使用することができる容器、押し／引き飲み口部などスポーツ用クロージャを有することができる自動車又はスポーツ環境において使用される容器、飲み物を搭乗客に供給するためにカートリッジ及び水が使用されるように航空機飛行において使用される容器アスピリン又は処方薬などの薬用飲料を収容することができる容器、蛇口ディスペンサ（tap dispenser）及び取り付け機構を収容する頂部を有する冷蔵室内に収まることができる容器、手持ち式とすることができる容器、少し例を挙げれば、店舗環境内又は一般家庭内のいずれかを問わず、カウンタ又は棚に位置することができるはるかに大きい容器などの容器。また、本発明の教示及び原理は、本発明から逸脱することなく、任意の容器構成に応用されてもよい。
【００８８】
図９Ａ〜図１３Ｂは、本発明の実施例による更なる取り付け機構構成を示す。
【００８９】
図９Ａ及び図９Ｂは、仕切板タイプの弁アセンブリ９２６を有する取り付け機構９２０を示す。図９Ａ及び図９Ｂは、図１〜図４Ｆに関連して上述したものと類似の本発明による実施例を示す（同一又は類似の部品を示すために、図１〜図４Ｆで使用したものと同一又は類似の参照番号を図９Ａ及び図９Ｂで使用する）。本発明による別の実施例では、図９Ａ及び図９Ｂに示すように、取り付け機構９２０は、一般的に、係合アセンブリ９２２、穿孔部分９２４、及び弁アセンブリ９２６で構成されている。係合アセンブリ９２２は、一般的に、カートリッジ９５０を取り付け機構９２０内で受容することができる。穿孔部分９２４は、一般的に、カートリッジ９５０を穿孔することができ、それによって、カートリッジ９５０の内容物を容器９１０内に放出する。弁アセンブリ９２６は、一般的に、カートリッジ９５０が取り付け機構９２０と係合すると開口することができ、それによって、容器９１０の内容物とカートリッジ９５０の内容物との混合を可能にする。
【００９０】
この例示的な構成では、取り付け機構９２０は、カートリッジ９５０を取り付けてカートリッジ９５０を開口する２分割の作用を要する。まず、図９Ａに示すように、カートリッジ９５０を係合アセンブリ９２２に取り付け、係合アセンブリ９２２は、カートリッジ９５０をロック後の位置に保持するためにラッチ構造部９２８及びばね９３２を含む。カートリッジ９５０がロック後の位置になると、図９Ｂに示すように、係合アセンブリ９２２を捩ることができる。係合アセンブリ９２２が捩られたとき、捩り作用によって、弁アセンブリ９２６内のカム９４５が弁アセンブリ９２６内の弁９４４を上方に回転させるとカートリッジ９５０が開口し、それによって、カバー９６０が穿孔される。弁９４４が上方に回転する状態で、弁９４４はまた、同時に、容器９１０の内容物及びカートリッジ９５０の内容物が混合することができるようにカートリッジ９５０まで容器９１０を開口することもできる。容器９１０及びカートリッジ９５０は、本発明から逸脱することなく、本出願に記載する任意の構成であってもよい。
【００９１】
図１０Ａ及び図１０Ｂに示すように、上述した仕切板タイプ弁アセンブリ１０２６と同様の構成では、２つ以上のカートリッジが使用される場合、取り付け機構１０２０を回転させて孔又は複数の孔１０２１、１０２３が見えるようにすることができる。図１０Ａ及び図１０Ｂに示すように、取り付け機構１０２０内に位置する２つの孔１０２１、１０２３で、２つのカートリッジ１０５０Ａ、１０５０Ｂを取り付け機構１０２０に取り付ける。取り付け機構１０２０の回転によって、ポッド又はポッド１０５０Ａ、１０５０Ｂの内容物と容器１０１０の内容物との混合を可能にすることができる。取り付け機構１０２０、容器１０１０、及びカートリッジ１０５０Ａ、１０５０Ｂは、本発明から逸脱することなく、本出願に記載する任意の構成であってもよい。
【００９２】
図１１Ａ及び図１１Ｂは、ピストン型取り付け機構１１２０を有する取り付け機構を示す。図１１Ａ及び図１１Ｂは、図１〜図４Ｆに関連して上述したものと類似の本発明による実施例を示す（同一又は類似の部品を示すために、図１〜図４Ｆで使用したものと同一又は類似の参照番号を図１１Ａ及び図１１Ｂで使用する）。本発明による別の実施例では、図１１Ａ及び図１１Ｂに示すように、取り付け機構１１２０は、一般的に、係合アセンブリ、破砕部分、及び弁アセンブリで構成されている。係合アセンブリは、一般的に、カートリッジ１１５０を取り付け機構内で受容することができる。破砕部分は、一般的に、カートリッジ１１５０を開口することができ、それによって、カートリッジ１１５０の内容物を容器内に放出する。弁アセンブリは、一般的に、カートリッジ１１５０が取り付け機構１１２０と係合すると開口することができ、それによって、容器の内容物とカートリッジ１１５０の内容物との混合を可能にする。
【００９３】
この例示的な構成では、係合アセンブリは、ピストン１１２２を含むことができる。取り付け機構はまた、基部１１２４を含むことができ、破砕部分及び弁アセンブリを収容することができる。カートリッジ１１５０をピストン１１２２の開口部１１２９内に設置し、開口部１１２９は、ピストン１１２２の側上に位置する。その後、カートリッジ１１５０が破砕されるか又は基部１１２４に対して圧搾されるようにするようにピストン１１２２を押すことができる。ピストン１１２２が基部１１２４に対して移動すると、弁１１２６が、容器に対して開口し、それによって、容器の内容物及びカートリッジの内容物は混合することができる。更に、ピストン１１２２が基部１１２４に対して移動すると、カートリッジ１１５０は、破砕又は圧搾され、それによって、カバー１１６０が開口し、カートリッジ１１５０の内容物が容器に排出される。容器及びカートリッジ１１５０は、本発明から逸脱することなく、本出願に記載する構成のいずれかであってもよい。
【００９４】
図１２Ａ及び図１２Ｂは、回転カムタイプの取り付け機構１２２０を有する取り付け機構を示す。図１２Ａ及び図１２Ｂは、図１〜図４Ｆに関連して上述したものと類似の本発明による実施例を示す（同一又は類似の部品を示すために、図１〜図４Ｆで使用したものと同一又は類似の参照番号を図１２Ａ及び図１２Ｂで使用する）。本発明による別の実施例では、図１２Ａ及び図１２Ｂに示すように、取り付け機構１２２０は、一般的に、係合アセンブリ、破砕部分、及び弁アセンブリで構成されている。係合アセンブリは、一般的に、カートリッジ１２５０を取り付け機構内で受容することができる。破砕部分は、一般的にカートリッジを開口することができ、それによって、カートリッジ１２５０の内容物を容器内に放出する。弁アセンブリは、一般的に、カートリッジ１２５０が取り付け機構１２２０と係合すると開口することができ、それによって、容器の内容物とカートリッジ１２５０の内容物との混合を可能にする。
【００９５】
この例示的な構成では、係合アセンブリは、カムアセンブリ１２２２及び基部１２２４を含むことができる。カムアセンブリ１２２２はまた、２つのカム１２２９を含むことができる。カートリッジ１２５０は、取り付け機構１２２０の頂部を介して２つのカム１２２９間に挿入することができる。２つのカム１２２９はカムアセンブリ１２２２に取り付けられてもよく、基部１２２４及びカムアセンブリ１２２２が回転すると、カム１２２９は、内方に押圧されるようになっている。カム１２２９が内方に押圧されると、カム１２２９は、カム１２２９内のカートリッジ１２５０を破砕又は圧搾し、それによって、カートリッジ１２５０のカバーが開口して、カートリッジ１２５０の内容物が容器に排出される。容器及びカートリッジ１２５０は、本発明から逸脱することなく、本出願に記載する構成のいずれかであってもよい。
【００９６】
図１３Ａ及び図１３Ｂは、プランジャタイプの取り付け機構１３２０を有する取り付け機構を示す。図１３Ａ及び図１３Ｂは、図１〜図４Ｆに関連して上述したものと類似の本発明による実施例を示す（同一又は類似の部品を示すために、図１〜図４Ｆで使用したものと同一又は類似の参照番号を図１３Ａ及び図１３Ｂで使用する）。本発明による別の実施例では、図１３Ａ及び図１３Ｂに示すように、取り付け機構１３２０は、一般的に、係合アセンブリ、破砕部分、及び弁アセンブリで構成されている。係合アセンブリは、一般的に、カートリッジ１３５０を取り付け機構内で受容することができる。破砕部分は、一般的に、カートリッジ１３５０を開口することができ、それによって、カートリッジ１３５０の内容物を容器内に放出する。弁アセンブリは、一般的に、カートリッジ１３５０が取り付け機構と係合すると開口することができ、それによって、容器の内容物とカートリッジ１３５０の内容物との混合を可能にする。
【００９７】
この例示的な構成では、係合アセンブリは、プランジャ１３２２を含むことができる。取り付け機構１３２０はまた、基部１３２４を含むことができ、破砕部分及び弁アセンブリを収容することができる。カートリッジ１３５０は、基部１３２４の頂部内に設置されている。その後、プランジャ１３２２を押すことができ、カートリッジ１３５０は、プランジャ１３２２と取り付け機構１３２０の基部１３２４との間で破砕又は圧搾されるようになっている。プランジャ１３２２が取り付け機構１３２０の基部１３２４に対して移動すると、弁１３２６は、容器に対して開口することができ、それによって、容器の内容物及びカートリッジ１３５０の内容物を混合することができる。プランジャ１３２２が取り付け機構１３２０の基部１３２４に対して移動すると、カートリッジ１３５０は、破砕又は圧搾され、それによって、カバーが開口し、カートリッジ１３５０の内容物が容器に排出される。更に、プランジャ１３２２は、穿孔針（図示せず）を収容することができ、穿孔針は、プランジャ１３２２が取り付け機構１３２０の基部１３２４に押し込まれるとカートリッジ１３５０を穿孔する。容器及びカートリッジ１３５０は、本発明から逸脱することなく、本出願に記載する構成のいずれかであってもよい。
【００９８】
更なる取り付け機構が、本発明から逸脱することなく、利用されてもよい。上述したスナップ特徴部の代わりの容器と取り付け機構との間のねじ付き接続部、上述したスナップ特徴部の代わりの容器と取り付け機構間の１／４回転の接続部、カートリッジを保持し、手工具２４０の使用によってカートリッジを穿孔して開口し、したがって、（図２４に示すように）カートリッジの内容物をコップ２４２に流し込むことができるくるみ割りと類似の手工具２４０などの取り付け機構。
【００９９】
図１４Ａ〜図１４Ｃは、本発明の実施例による更なるカートリッジ構成を示す。図１４Ａ〜図１４Ｃに示すように、別の実施例カートリッジ構成では、カートリッジ１４５０を複数のポッドで構成することができる。図１４Ａ及び図１４Ｂに示すように、カートリッジは、２つの半ポッド部１４５０Ａ、１４５０Ｂを備えることができ、半ポッド部１４５０Ａ、１４５０Ｂのそれぞれを組み合わせて、１つの単一のポッド１４５０を作製することができる。その後、それぞれのポッド１４５０Ａ、１４５０Ｂの内容物を水又は他の液体と混合して、所望の飲料を形成することができる。それぞれの半ポッド部１４５０Ａ、１４５０Ｂは、水又は他の液体と混合したときに結果的に飲料となるシロップ、ペースト、粉末、顆粒、又は他の組成物を収容することができる。本発明の代替態様では、半ポッド部１４５０Ａ、１４５０Ｂ、は、飲料に追加することができるエネルギー強化剤、栄養分、又はビタミン補給剤を収容することができる。２つの半ポッド部１４５０Ａ、１４５０Ｂは、図１４Ｃに示すように、容器１４１０の底部に位置する取り付け機構１４２０に挿入することができる。代替的に、カートリッジ１４５０は３つ以上のポッドを含んでもよい。
【０１００】
別の実施例カートリッジ構成では、飲料分配システムは、複数の取り付け機構、穿孔部分、及び弁アセンブリを含むことができ、単一の容器又は飲料分配システムについて複数のカートリッジを挿入することができるようになっている。その後、それぞれのカートリッジの内容物を水又は他の液体と混合して所望の飲料を形成することができる。それぞれのカートリッジは、水又は他の液体と混合したときに結果的に飲料となるシロップ、ペースト、粉末、顆粒、又は他の組成物を収容してもよい。本発明の代替態様では、カートリッジの１つ又は２つ以上は、飲料に添加することができるエネルギー強化剤又はビタミン補給剤を収容してもよい。更に、カートリッジの１つ又は２つ以上は、他のカートリッジよりも小さいかか又は大きいなど異なるサイズであってもよい。
【０１０１】
別の実施例カートリッジ構成では、カートリッジは、それぞれ、同じか又は異なる飲料作製成分を含有する複数のチャンバで構成することができる。複数のチャンバは、飲料の一部として別個のままである必要がある不安定な成分があるときには有益であってもよい。その後、それぞれのチャンバの内容物を水又は他の液体と混合して所望の飲料を形成することができる。それぞれのチャンバは、水又は他の液体と混合したときに結果的に飲料となるシロップ、ペースト、粉末、顆粒、又は他の組成物を収容してもよい。本発明の代替態様では、チャンバの１つは、飲料に添加することができるエネルギー強化剤又はビタミン補給剤を収容してもよい。
【０１０２】
本発明による別の実施例では、飲料分配システムは、単回給仕用（single−serve）飲料分配システムに関する。飲料分配システムは、既存の飲料分配又は供給システムに関する欠点及び問題を克服することに関する。単回給仕用飲料分配システムは、図１５〜図１８Ｃに開示している。図１５〜図１８Ｃによって示すように、単回給仕用飲料分配システムは、水又は他の液体の計量された量を、単回給仕用飲料、例えば、清涼飲料を作り出す適切な量のシロップを有するシロップを収容するカートリッジを介して分配する。図１５〜図１７によって示すように、本発明の飲料分配システムによって、小売環境内又は一般家庭にいる消費者が単回給仕用飲料を作り出すことができ、その方法として、所望の飲料成分を収容するカートリッジを選択して、カートリッジを飲料分配システムに入れる。その後、消費者は、システムの飲料混合動作を起動させるボタンを押す。起動すると、水又は他の液体の供給装置に作動上接続された針が降りて来てカートリッジを穿刺してカートリッジの頂部及び底部を通過することになる。所定の期間にわたって、針は、カートリッジ内に残り、カートリッジを部分的に通って延びる。針がカートリッジ内に位置決めされている間、水又は他の液体は、針まで導かれて、針の端部の開口部を通り、針の周辺部の周りに位置決めされた複数の開口を通ることができる。複数の開口を通過する水又は他の液体は、カートリッジに入ってカートリッジ内に収容されたシロップと混合することになる。混合すると、飲料は、カートリッジの底部にできた穿刺による開口部を通過してカートリッジの下に位置決めされたカップへ落ちることになる。水又は他の液体は、飲料の適切な一貫性及び風味を更に作り出すために針の端部の開口部を通って更に流れ出ることになる。飲料がカップに分配された後、消費者は、カップを取り出して飲料を楽しむことができる。その後、使用済みのカートリッジは廃棄されてもよい。
【０１０３】
より具体的には、図１５〜１７を参照すると、例示的な実施形態では、飲料システム１５０８は、ハウジング内に形成された開口部１５１２及び１５１４を含むディスペンサハウジング１５１０を含む。開口部１５１２は、飲料システムから分配された、作り出された飲料を受容して収容する飲料カップ１５１３を受容するようにサイズ決め及び成形されている。開口部１５１４は、シロップを収容するカートリッジ１５１６を受容するようにサイズ決め及び成形され、シロップは、水又は他の液体と混合して飲料を作製する。開口部１５１４及びカートリッジ１５１６は、カートリッジ１５１６は開口部１５１４の形状と一致するように成形され、その逆もまた同じであるという点で嵌合構成を画成する。この構成で、開口部１５１４の形状と一致する形状を有するカートリッジのみを開口部１５１４に挿入することができ、それによって、望ましくないか又は一致しないカートリッジ又は容器が飲料システムと共に使用されることが防止される。飲料システムは、消費者が飲料システムを起動させるために押すボタン又はスイッチ１５２０を更に含む。
【０１０４】
一端で水供給源に、反対端で針１５２３に作動上接続された給水管路１５２１を含む水（又は、他の液体）供給システムが、ハウジング１５１０内の位置決めされている。水（又は、他の液体）供給源は、炭酸水又は非炭酸水のいずれかであってもよく、又は、カートリッジ内に収容されたシロップと混合することができる任意の他の好適な液体であってもよい。図２５に示すように、針１５２３は、先に説明したように、カートリッジ１５１６を穿刺するために使用される端部１５２５を開口する、尖った又は鋭い開口端を画成する。針１５２３は、針１５２３のチューブ体１５２７の周辺部の周りに位置決めされた複数の開口１５２９を更に画成する細長い管のような本体１５２７を更に画成する。カートリッジ１５１６内に位置決めされると、開口１５２９によって、チューブ本体１５２７を通って進む水又は他の液体は、カートリッジ１５１６に入ってカートリッジ１５１６と共に収容されたシロップと混合することができる。理解する必要があるように、針１５２３は、カートリッジ１５１６の穿刺、及び、カートリッジ１５１６への水又は他の液体の進入を可能にする数多くの他の構成を画成してもよい。
【０１０５】
カートリッジ１５１６は、単一のチャンバを画成することができるか、又は、それぞれ同じか又は異なる飲料を作製する成分を収容する複数のチャンバを画成することができる。その後、それぞれのチャンバの内容物を水又は他の液体と混合して所望の飲料を形成することができる。それぞれのチャンバは、水又は他の液体と混合したときに結果的に飲料となるシロップ、ペースト、粉末、顆粒、又は他の組成物を収容してもよい。本発明の代替態様では、カートリッジは、飲料に添加することができるエネルギー強化剤又はビタミン補給剤を収容してもよい。
【０１０６】
図１６に示すように、カートリッジは、プラスチック材で作製されたドーム状構成を画成することができる。ドーム形状は、カートリッジ内の１つ又は２つ以上のチャンバを作り出す。アルミ箔１５２４又は同様の封止材料をカートリッジ全体にわたって位置決めしてカートリッジ内の内容物を封止することができる。アルミ箔は、その上に印刷された製品情報又は他のしるしを含んでもよいか、又は、カートリッジ及び／又は飲料システムの使い方に関する指示を記載してもよい。カートリッジと共にアルミ箔及びプラスチックを使用することによって、針は、箔及びプラスチックを容易に貫通して穿刺することができる。カートリッジの数多くの他の形状及び構成が可能であり、示すドーム形状は、数多くの代替構成の単に例示であるにすぎないことを理解されたい。
【０１０７】
図１８Ａ〜図１８Ｃを参照すると、飲料システム１５０８はまた、既存の飲料システムに関して限られたオプションとは異なり、消費者に飲料について数多くの選択を与える異なる飲料風味又は成分をそれぞれ収容する数多くのカートリッジを収容するハウジング１５２８を備えることができる。一実施形態では、カートリッジは、消費者に容易に見えるカートリッジに関係する製品情報を有するアレイ内に位置決めすることができ、アレイは、消費者に対して美観的に感じの良い印象を作り出す。ハウジングは、消費者の注意をひくために様々な人目をひく色及び広告を含むことができる。飲料システム１５０８はまた、消費者にもまた容易に利用することができる数多くの積み重なられたカップ１５１３を収容するカップ保持ハウジング１５３０を備えることができる。ハウジング１５３０は、複数の大きさのカップに対応するために１つ又は２つ以上のカップ保持開口部１５３４を含むことができる。飲料ハウジング１５１０、１５２８、及び１５３０は、全て、システムの視認性を向上させるために飲料システムを小売店舗環境内に設置する際に柔軟性を提供するためにモジュール式であり、それぞれが店舗内のカウンタ上に、又は、店舗内の任意の他の所望の場所に座ることを可能にするほど軽量かつコンパクトである。
【０１０８】
図１９〜図２３を参照すると、飲料システムは、数多くの構成でパッケージ化することができる。図１９は、一般家庭で使用することができる飲料システム１５４０を示し、カートリッジは、開口部１５４２内に設置することができ、分配ボタン１５４４を押すと、上述した方法と同様に、水ハウジング１５４６内に貯蔵された水又は他の液体は、所望の飲料を作製するためにカートリッジの内容物と混合する。図２０は、本明細書で説明するのと同じ方法で作動するが、飲料冷却器内で使用されたものと同様に、大きい水容器１５５２を利用する更に別の飲料システム１５５０を示す。更に他のパッケージ化オプションも、本発明で可能である。
【０１０９】
図２１〜図２３を参照すると、飲料システム１５６０は、冷蔵室１５６２を伴って構成することができる。飲料システム１５６０は、冷蔵室内又は冷蔵室に実装するか、又は、冷蔵室に独立型ユニットとして取り付けられてもよい。飲料システム１５６０が冷蔵室内又は冷蔵室に実装する場合、システム１５６０は、冷蔵室（図２１及び図２３）の外側からアクセス可能とすることができるか、又は、冷蔵室（図２２）の内側からアクセス可能とすることができる。図２２に示すように、飲料システムは、冷蔵室内に位置する室内に実装することができる。図２３に示すように、飲料システムは、冷蔵室の氷／水分配システムと共に組み込むことができる。これらの代替実施形態のそれぞれに関して、飲料システム１５６０は、冷蔵室の飲料水供給装置に取り付けられてもよい。飲料システム１５６０は、独立型ユニットとして冷蔵室に取り付けられる場合、冷蔵室の飲料水供給装置に接続することができる。本明細書で説明する他の実施形態の場合と同様に、カートリッジ１５７０は、開口部１５６４内に設置することができ、分配ボタンを押すと、冷蔵室１５６２の水は、上述した方法と同様に、所望の飲料を作製するためにカートリッジの内容物と混合し、その後、所望の飲料は、カップ１５７４に分配されることになる。
【０１１０】
図２６Ａ〜図２９Ｃは、図１〜図４Ｆに関連して上述したものと類似の本発明による例示的な飲料分配システムを示す（同一又は類似の部品を示すために、図１〜図４Ｆで使用したものと同一又は類似の参照番号を図２６Ａ〜図２９Ｃで使用する）。図２６Ａ〜図２９Ｃは、カートリッジ格納室２６９０を有する飲料分配システム２６００及び特にポストミックス飲料システムの別の実施形態を開示する。図２６Ａ〜図２９Ｃに示す飲料分配システム２６００は、取り付け機構２６２０及びカートリッジ格納室２６９０を有する容器２６１０を含む。
【０１１１】
図２６Ａ〜図２７Ｂに示すように、飲料分配システム２６００は、一般的に、容器２６１０、取り付け機構２６２０、カートリッジ２６５０、及びカートリッジ格納室２６９０で構成されている。容器２６１０は、カートリッジ２６５０の内容物と混合されるべき、水などの混合溶液又は液体を保持することができる。カートリッジ２６５０は、一般的に、容器２６１０に分配される濃縮飲料シロップを収容するカートリッジ（ポッド）２６５０の装填、係合、及び分配を行う取り付け機構２６２０と係合し、それによって、飲用飲料を作り出すためにカートリッジ２６５０の内容物が容器２６１０内の液体と結合する。カートリッジ格納室２６９０は、容器２６１０の基部２６１４内で取り付け機構２６２０の反対側に位置することができ、１つ又は２つ以上の更なる又は余分のカートリッジ２６５０を保持するようにサイズ決め及び成形することができる。
【０１１２】
容器２６１０は、図２６Ａ及び図２６Ｂに示すように、一般的に、瓶の形状とすることができる。容器２６１０は、本発明から逸脱することなく、様々な他の形状であってもよい。容器２６１０は、容器２６１０の頂部２６１２に係合する取り付け機構２６２０を含むことができる。取り付け機構２６２０は、クロージャ基部２６３０、スパウト部分（spout portion）２６４０、及び上蓋（overlid）２６６０を含むことができる。スパウト部分２６４０及び上蓋２６６０をクロージャ基部２６３０にヒンジ取り付けすることができる。スパウト部分２６４０及び上蓋２６６０は、開放位置又は閉鎖位置とすることができる。図２６Ａ及び図２７Ａは、開放位置で回転されるスパウト部分２６４０及び上蓋２６６０を示す。図２６Ｂ及び図２７Ｂは、閉鎖位置で回転されるスパウト部分２６４０及び上蓋２６６０を示す。スパウト部分２６４０は、開放位置から閉鎖位置までクロージャ基部２６３０上へヒンジ回転することができる。上蓋２６６０は、開放位置から閉鎖位置までスパウト部分２６４０上へヒンジ回転することができる。
【０１１３】
クロージャ基部２６３０は、容器２６１０の頂部２６１２上に位置するスレッド２６１４に係合することができるスレッド２６３１を含むことができる。取り付け機構２６２０及びクロージャ基部２６３０は、また、本発明から逸脱することなく、他の様々な方法で容器２６１０に取り付けてもよい。クロージャ基部２６３０は、孔又は開口部２６３２を容器２６１０の内側に対して含むことができる。孔又は開口部２６３２は、スパウト部分２６４０の飲み口部２６４２と整合することができる。クロージャ基部２６３０の孔又は開口部２６３２はまた、容器シール２６３３を含むことができる。容器シール２６３３は、スパウト部分２６４０が閉鎖位置にあるときに孔又は開口部２６３３の周りの領域を飲み口部２６４２に対して封止する。容器シール２６３３は、液体又は溶液がカートリッジ２６５０内に収容されていることを確実にする。容器シール２６３３は、本発明によるガスケット、Ｏリング、又は、グロメット、又は、他の封止構造体を含んでもよい。容器シール２６３３は、本発明によるゴム、プラスチック、又は、金属、又は、その他の材料で作製されてもよい。
【０１１４】
クロージャ基部２６３０はまた、カートリッジ収容部２６３４を含むことができる。カートリッジ収容部２６３４は、カートリッジ２６５０を受容して保持するようにサイズ決め及び成形することができる。カートリッジ２６５０は、カートリッジ２６５０の頂部が容器２６１０の方に下方に向く状態でカートリッジ収容部２６３４へ設定又は設置することができる。カートリッジ収容部２６３４はまた、頂部又はカートリッジ２６５０を切断又は穿孔することができる１組の歯又は刃を含む切断部分２６３５を含むことができる。切断部分２６３５は、一般的に、カートリッジ２６５０を切断することができ、それによって、カートリッジ２６５０の内容物を容器２６１０内に放出する。
【０１１５】
クロージャ基部２６３０は、カートリッジシール２６３６を含むことができる。カートリッジシール２６３６は、カートリッジ２６５０がカートリッジ収容部２６３４に押し付けられてスパウト部分２６４０が閉鎖位置にあるときにカートリッジ収容部２６３４の周りの領域をカートリッジ２６５０に対して封止する。カートリッジシール２６３６は、カートリッジ２６５０が開口されたときにカートリッジ２６５０の内容物がカートリッジ２６５０内に収容されて、カートリッジ２６５０から漏出しないことを確実にする。カートリッジシール２６３６は、本発明によるガスケット、Ｏリング、又は、グロメット、又は、他の封止構造体を含んでもよい。カートリッジシール２６３６は、本発明によるゴム、プラスチック、又は、金属、又は、その他の材料で作製されてもよい。
【０１１６】
クロージャ基部２６３０は、スパウト部分２６４０及び上蓋２６６０をヒンジ取り付けするヒンジ部分２６３７を含むことができる。スパウト部分２６４０及び／又は上蓋２６６０は、図２６Ａ及び図２７Ａに示すように、開位置に揺動することができる。スパウト部分２６４０及び上蓋２６６０が開放位置にあるとき、カートリッジ２６５０をクロージャ基部２６３０のカートリッジ収容部２６３４に挿入することができる。カートリッジ２６５０がカートリッジ収容部２６３４に挿入された後、図２６Ｂ及び図２７Ｂに示すように、スパウト部分２６４０及び上蓋２６６０を閉鎖位置に回転させることができる。スパウト部分２６４０及び上蓋２６６０が閉鎖位置にあるとき、飲料は混合することができ、飲料は、容器２６１０内に収容されることになる。上蓋２６６０が開放位置にあり、スパウト部分２６４０が閉鎖位置にあるとき、ユーザは、容器２６１０から飲むことができる。更に、容器２６１０及びスパウト部分２６４０は、容器２６１０の頂部２６１２に位置する飲み口部２６４２を含むことができる。
【０１１７】
更に、クロージャ基部２６３０は、ロック部分つまりロック部材２６３８を含むことができる。ロック部分つまりロック部材２６３８は、スパウト部分２６４０及び上蓋２６６０と協働してそれらの構造のそれぞれを閉鎖位置でロックすることができる。様々なロック部分又はロック部材が、本発明から逸脱することなく、利用されてもよい。図２６Ａ〜図２７Ｂに示すロック部分又はロック部材２６３８は、回転及びロックＤリング２６３９を有するスナップロック構造体である。
【０１１８】
スパウト部分２６４０は、飲み口部２６４２及びカートリッジ加圧部材２６４４を含むことができる。カートリッジ加圧部材２６４４は、カートリッジ２６５０の外側と同様に成形することができる。スパウト部分２６４０が閉鎖位置に回転したときに、カートリッジ加圧部材２６４４は、圧力をカートリッジ２６５０上に（例えば、カートリッジ２６５０のリム上に）加えてカートリッジ２６５０をクロージャ基部２６３０の切断部分２６３５に押し込む。カートリッジ加圧部材２６４４は、スパウト部分２６４０が閉鎖位置に回転して閉鎖位置にロックされたときにカートリッジ２６５０をカートリッジ収容部２６３４、及び、頂部又はカートリッジ２６５０を切断又は穿孔することができる１組の歯又は刃を含む切断部分２６３５に押し込むことができる。スパウト部分２６４０が閉鎖位置に回転したとき、カートリッジ加圧部材２６４４は、カートリッジ２６５０を切断部分２６３５に押し込むと、一般的に、カートリッジ２６５０を切断又は穿孔することができ、それによって、カートリッジ２６５０の内容物を容器２６１０内に放出する。
【０１１９】
スパウト部分２６４０はまた、飲み口部２６４２を含むことができる。飲み口部２６４２は、容器２６１０の頂部２６１２に位置することができる。飲み口部２６４２は、クロージャ基部２６３０の開口部又は孔２６３２と整合して、ユーザが最終的な飲料を容器２６１０から飲むためのアクセスを提供することになる。
【０１２０】
容器２６１０は、上蓋２６６０を含むことができる。上蓋２６６０は、クロージャ基部２６３０にヒンジ取り付けすることができる。上蓋２６６０は、（図２６Ａ及び図２７Ａに示すように）開位置と（図２６Ｂ及び図２７Ｂに示すように）閉鎖位置との間で回転することができる。上蓋２６６０は、ユーザが容器２６１０から飲むことができる飲み口部２６４２を容器２６１０の頂部２６１２で封止するスパウトシール２６６２を含むことができる。スパウトシール２６６２は、本発明によるガスケット、Ｏリング、又は、グロメット、又は、他の封止構造体を含んでもよい。スパウトシール２６６２は、本発明によるゴム、プラスチック、又は、金属、又は、その他の材料で作製されてもよい。上蓋２６６０は、消費者が上蓋２６６０を開口することなく上蓋２６６０の内側を見ることができるように透明又は半透明であってもよい。
【０１２１】
更に、容器２６１０は、カートリッジ格納室２６９０を含むことができる。カートリッジ格納室２６９０は、容器２６１０の基部２６１４に位置することができる。カートリッジ格納室２６９０は、余分のカートリッジ２６５０（ポッド）格納のために利用することができる。図２６Ａ及び図２６Ｂに示すように、カートリッジ格納室２６９０は、２つの更なるカートリッジ２６５０を保持するようにサイズ決め及び成形することができる。カートリッジ格納室２６９０は、本発明から逸脱することなく、様々な他の数のカートリッジ２６５０を保持するようにサイズ決め及び成形されてもよい。更に、カートリッジ格納室２６９０は、容器２６１０の基部２６１４とのねじ付き接続部２６９２を含むことができる。容器２６１０の基部２６１４は、カートリッジ格納室２６９０の内側に位置するスレッド２６９２に係合するスレッド２６１６を含むことができる。ヒンジ接続部、回転ロック接続部、又は、当技術分野で既知でありかつ使用されている他の同様の接続部など、容器２６１０とカートリッジ格納室２６９０との間の他の接続構造体が、本発明から逸脱することなく、利用されてもよい。カートリッジ格納室２６９０は、消費者がカートリッジ格納室２６９０を容器から取り外すことなくカートリッジ格納室２６９０の内側を見ることができるように透明又は半透明であってもよい。
【０１２２】
容器２６１０はまた、図２６Ａ及び図２６Ｂに示すように、他の特徴部又は構造体を含むことができる。容器２６１０は、容器２６１０の概して中央に位置する握持部分２６１８を含むことができる。握持部分２６１８は、消費者が容器２６１０を掴むのを一助となるために異なる材料又は異なる表面であってもよい。握持部分２６１８はまた、容器２６１０の一部上方に形成されているスリーブを含むことができる。容器２６１０はまた、容器グリップリング２６１９を含むことができる。容器グリップリング２６１９は、消費者が容器２６１０を保持又は携行する別の手段を提供することができる。容器グリップリング２６１９は、上蓋２６６０及びスパウト部分２６４０と同じ場所でヒンジ部分２６３７に位置して蝶着することができる。容器グリップリング２６１９はまた、容器グリップリング２６１９を開口及び閉鎖するスナップ開口特徴部を含むことができる。
【０１２３】
カートリッジ２６５０は、図２８Ａに示すように、チャンバ２６５２及びカバー２６５４を備えることができる。カートリッジ２６５０は、カートリッジ収容部２６３４に係合するように適合されている。カートリッジ２６５０、１つ又は２つ以上の飲料成分を保持することができ、飲料成分は、シロップ、ペースト、粉末、顆粒、又は他の組成を含むリストから選択されてもよい。更に、カートリッジ２６５０は、本発明による栄養分つまりビタミン、薬草、栄養補助食品、微粒子、ゲル、フルーツ風味ベースなど他の成分又は風味を保持してもよい。
【０１２４】
カートリッジ２６５０のチャンバ２６５２は、一般的に、シロップ、ペースト、粉末、顆粒、又は他の組成を保持することができる容器である。図２８Ａに示すカートリッジ２６５０は、楕円形又は円形状の構造体とすることができる。カートリッジ２６５０は、本発明から逸脱することなく、他の形状の構造であってもよい。カバー２６５４は、チャンバ２６５２の開口部２６５８上方に位置することができる。カバー２６５４は、チャンバ２６５２の開口部２６５８上方に位置する箔シールとすることができる。カバー２６５４は、チャンバ２６５２の開口部２６５８の縁部に取り付けられてもよい。カバー２６５４は、本発明によるアルミニウム及び封止コーティング、又は、ポリエチレンのような封止ポリマー積層物、金属被覆二軸延伸（bioriented）ポリプロピレン及び封止コーティング、又は、ポリエチレンのような封止ポリマー積層物、又は、金属被覆ポリエステル及び封止コーティング、又は、ポリエチレンのような封止ポリマー積層物など様々な異なる材料で作製されてもよい。
【０１２５】
カートリッジ２６５０の構造によって、フレーバーウォーター（低温充填）、アイスティー（高温充填及び低温充填）、アイソトニック飲料（高温充填）、ジュース（低温充填及び高温充填）、乳製品（レトルト）、及びコーヒー（レトルト）を含有することができる濃縮液に対応することができる様々な材料（例えば、ポリプロピレン、多重層構造、アルミニウム）が可能である。低温充填飲料及び高温充填飲料との利用のカートリッジ２６５０の適性を特徴づける１つの方法は、カートリッジ２６５０が耐えることができる温度によるものである。いくつかの実施形態では、カートリッジ２６５０は、最大９５℃までの温度に耐えることができる。カートリッジ２６５０は、本発明から逸脱することなく、様々な材料で作製されてもよい。例えば、カートリッジ２６５０は、ポリエチレンテレフタレート（ＰＥＴ）で作製されてもよい。更に、カートリッジ２６５０は、ＳｉＯｘ又はアモルファス炭素のプラズマ応用コーティング、ポリアミド、ポリグリコール酸、Ａｍｏｓｏｒｂ（商標）、ＤｉａｍｏｎｄＣｌｅａｒ（商標）、又は、Ｈｙｇｕａｒｄ（商標）の成分のような受動的バリア材及び／又は脱酸素剤と（混合によって及び／又は多層構造を使用することによって）組み合わせてＰＥＴで作製されてもよい。更に、カートリッジ２６５０は、ポリアミド、エチレンビニルアルコールのような受動的バリア材及び／又は脱酸素剤と（混合によって及び／又は多層構造を使用することによって）組み合わせてポリプロピレン、ポリエチレン、又はポリエチレン及びポリプロピレンで作製されてもよい。更に、カートリッジ２６５０は、アルミニウムで作製されてもよい。単独又はバリアシステムと組み合わせた材料が酸素感応である一部の飲料又は他の製品を保護するように、及び、水の過剰な損失を回避するために、他の材料が本発明によるカートリッジ２６５０に使用されてもよい。
【０１２６】
更に、図２９Ａ〜図２９Ｃは、複数のカートリッジ２６５０用マルチパック構成２６７０を示す。図２９Ａ〜図２９Ｃに示すように、マルチパック構成２６７０は、３つのカートリッジ２６５０を含む。マルチパック構成２６７０は、本発明から逸脱することなく、他の数のカートリッジ２６５０を含んでもよい。マルチパック構成２６７０はまた、同じか又は異なる風味又は飲料成分のカートリッジ２６５０を含むことができる。それぞれのカートリッジ２６５０は、消費者の労力がほとんどなくマルチパック構成２６７０から取り出すことができる。更に、図２９Ｃに示すように、カートリッジ２６５０の２つ以上のマルチパック構成２６７０を共に取り付けられてもよい。
【０１２７】
飲料ディスペンサの使用法は、図２６Ａ〜図２９Ｃに示すように、単純であり、ディスペンサの構造は、単純で掃除しやすく、消費者は、余分のカートリッジ２６５０（ポッド）を容器２６１０に格納するオプションを有する。カートリッジ２６５０（ポッド）は、包装が軽量、より単純な構造、様々な容積の液体及び固体（粉末、微粒子、ゲル）を収容するための多用性であるように設計されている。消費者は、複数の飲料を毎日楽しむことができ、ポッド及び容器の携行負荷が軽くなる。この解決策は、生活様式が活発、つまり、「活動的」であり、日別の水分補給／栄養補助食品／ビタミンを必要とし、自分自身の飲料を作製するのを楽しむと思われる消費者向けである。この解決策によって、消費者は、自分の飲料を作製し、栄養補助食品、ビタミン、微粒子などを投与することによってカスタマイズする複数の選択をすることができる。消費者の優先事項に応じて、カートリッジ２６５０の様々な組み合わせ（例えばビタミン補給剤入りの飲料濃縮液、ジュース濃縮液入りのアイスティー飲料濃縮液など）を単回使用分で使用することができる。
【０１２８】
図２６Ａ〜図２９Ｃに示す飲料分配システムの特徴／改良点は、単純な分配機構（使いやすい、掃除しやすい）、容器２６１０内のカートリッジ２６５０用格納室２６９０、及び、様々な飲料及び成分を収容することができる軽量カートリッジ２６５０構造である。消費者はまた、栄養補助食品及びビタミンを収容するカートリッジ２６５０で自分の容器の一回分を投与するオプションを有することができる。
【０１２９】
図３０Ａ〜図３２は、図２６Ａ〜図２９Ｃに関連して上述した実施形態と類似の飲料分配システムの実施形態を示す。同一又は類似の部品を示すために、図２６Ａ〜図２９Ｃで使用したものと類似の参照番号を図３０Ａ〜図３２で使用する。
【０１３０】
図３０Ａ〜図３２は、飲料分配システム３０００を示す。図３０Ａに示すように、飲料分配システム３０００は、取り付け機構３０２０、及びカートリッジ格納室３０９０を有する容器３０１０を含む。飲料分配システム３０００はまた、飲料分配システム３０００を移送するための、ユーザによって使用される保持部分３０７０を含むことができる。いくつかの実施形態では、また図３０Ａに示すように、保持部分３０７０は、容器３０１０の周縁部周りに回転可能である可撓性プラスチックフックであってもよい。他の実施形態では、保持部分３０７０は、図３３Ａの３３７０、図３６Ａの３６７０、及び、図３７Ａの３７７０によって表されたものなどの構造体を有してもよい。飲料分配システムはまた、図２６Ａに関して説明したように、握持部分２６１８と類似の握持部分３０１８を含むことができる。他の実施形態では、握持部分３０１８は、図３３Ａの３３１８、図３６Ａの３６１８、及び、図３７Ａの３７１８によって表されたものなどの構造体を有してもよい。
【０１３１】
図３０Ａ、図３０Ｂ、及び図３２に示すように、取り付け機構３０２０は、クロージャ基部３０３０、飲み口部３０４２、カートリッジ加圧部材３０４４、及びスパウトキャップ３０６３を含む。スパウトキャップ３０６３は、（飲み口部３０４２のアクセスを可能にするために）開放位置と（飲み口部３０４２を覆うために）閉鎖位置との間で回転可能に取り付け機構３０２０に取り付けられてもよい。いくつかの実施形態では、スパウトキャップ３０６３は、取り付け部材３０６６を介してカートリッジ加圧部材３０４４に取り付けられている。いくつかの実施形態では、取り付け部材３０６６は、図３０Ａ及び図３１Ｂに示すように、可撓性ヒンジであってもよい。いくつかの実施形態では、ヒンジは、シリコーンで作製してもよい。しかしながら、他の取り付け方法及び材料もまた想定されている。図３０Ａ、図３０Ｂ、及び図３２は、閉鎖位置のスパウトキャップ３０６３を示す。図３１Ａ及び図３１Ｂは、開位置のスパウトキャップ３０６３を示す。
【０１３２】
いくつかの実施形態では、また図３２に示すように、スパウトキャップ３０６３は、圧力部材３０４４上の相補型構造特徴部Ｂに対応する少なくとも１つの構造特徴部Ａを有する。構造特徴部Ａと構造特徴部Ｂとの相互作用によって、スパウトキャップ３０６３をカートリッジ加圧部材３０４４に圧嵌めすることを可能にすることによって、スパウトキャップ３０６３は、開放位置に保持されている。これは、図３１Ｂに示されている。
【０１３３】
クロージャ基部３０３０はまた、図３２に示すように、カートリッジ収容部３０３４を含むことができる。カートリッジ収容部３０３４は、カートリッジ３０５０を受容して保持するようにサイズ決め及び成形することができる。カートリッジ３０５０は、カートリッジ３０５０の頂部が容器３０１０の方に下方に向く状態でカートリッジ収容部３０３４へ設定又は設置することができる。一般的に、カートリッジ３０５０は、剛性本体、開口部、及び穿孔可能なカバー３０５４を備える。後で論じるように、カートリッジ体の剛性は、カートリッジ３０５０を開口する際の一助となることができる。カートリッジに関連する本開示の他の部分もまた、カートリッジ３０５０に適用することができる。
【０１３４】
カートリッジ加圧部材３０４４は、カートリッジ加圧部材３０４４が開位置と閉鎖位置との間で回転可能であるようにヒンジ３０４４Ａを介してクロージャ基部３０３０にヒンジ取り付けされている。図３０Ａ、図３０Ｂ、図３１Ａ、及び図３１Ｂは、閉鎖位置のスパウトキャップ３０４４を示す。図３２は、開放位置のカートリッジ加圧部材３０４４を示す。いくつかの実施形態では、更には、図３２に示すように、カートリッジ加圧部材３０４４は、閉鎖位置のクロージャ基部３０３０の一部分のみ、主として収容部３０３４が位置する部分を覆う。
【０１３５】
ロック部材つまりロック部分３０３８は、カートリッジ加圧部材３０４４を閉鎖位置に保持するために使用することができる。いくつかの実施形態では、また図３１Ａに示すように、ロック部材つまりロック部分３０３８は、スナップクロージャである。他の実施形態では、ロック部材つまりロック部分は、図３３Ａに示すように、ベールクロージャ（bale closure）であってもよい。更に、他のロック構造体が想定されている。ロック部材つまりロック部分３０３８は、飲料分配システム３０００の使用中にカートリッジ３０５０を収容部３０３４に保持する一助となる。
【０１３６】
図３２に示すように、カートリッジ収容部３０３４は、カートリッジ３０５０の上部を切断又は穿孔する１組の歯又は刃を含む切断部分３０３５を含むことができる。いくつかの実施形態では、切断部分３０３５は、カートリッジカバー３０５４の周縁部に沿うように成形されてもよく、切断部分３０３５がカバーを穿孔したとき、カバー３０５４の周縁部の３０５４の半分以上（例えば、ほとんど周縁部全体）が切断されるようになっている。他の実施形態では、切断部分３０３５は、カートリッジカバー３０５４の周縁部の周りで異なった場所に位置してもよい。例えば、更には、図３８〜図４０に関して更に詳細に説明するように、切断部分は、互いから切り離されている２つ以上の切断部分を備えてもよい。
【０１３７】
飲料分配システム３０００は、「２段階」の開口システムとすることができる。これは、カートリッジ加圧部材の閉鎖によって切断部分がカートリッジを開口する本明細書で開示する一部の「１段階」の実施形態と異なる。飲料分配システム３０００では、カートリッジ３０５０は、カートリッジ加圧部材３０４４の閉鎖では開口されない。むしろ、ドーム部分３０５５のために、カートリッジ３０５０の開口部は、２段階で行われる。
【０１３８】
図３０Ａ、図３０Ｂ、図３０１Ａ、図３１Ｂ、及び図３２に示すように、ドーム部分３０５５は、カートリッジ加圧部材３０４４が閉鎖位置のときにドーム部分３０５５がカートリッジ３０５０を覆うようにカートリッジ加圧部材３０４４に取り付けられる。
【０１３９】
ドーム部分３０５５は、圧縮性の材料で構成することができ、ドーム部３０５５は、外部的に印加された圧力で第１の位置と第２の位置との間で移動可能であるようになっている。いくつかの実施形態では、材料は、シリコーンである。しかしながら、同様の特性を有する他の材料もまた想定されている。
【０１４０】
外部的に印加された圧力がドーム部分３０５５に印加されたとき、ドーム部分３０５５は、（例えば、圧搾されていない状態の）第１の位置から（例えば、圧搾された状態の）第２の位置に移動する。その後、ドーム部分３０５５に印加された圧力は、接触を介してドーム部分３０５５とカートリッジ３０５０との間でカートリッジ３０５０に伝達される。カートリッジ３０５０の本体は十分に剛性である材料で構成されているので、外部的に印加された圧力によって、カートリッジは、容器３０１０の方に下降し、それによって、カートリッジ３０５０のカバー３０５４は、切断部分３０３５によって切断される。カートリッジ３０５０の本体の剛性を特徴づける１つの方法は、カートリッジ３０５０の本体が耐えることができる垂直力によるものである。いくつかの実施形態では、本体は、カートリッジカバー３０５４を破断するために必要とされる力以上の垂直力に耐えることができる。十分な剛性を提供する一部の非限定的な材料は、ポリプロピレン（ＰＰ）、高密度ポリエチレン（ＨＤＰＥ）、及びポリエチレンテレフタレート（ＰＥＴ）である。
【０１４１】
切断部分３０３５は、一般的に、カートリッジ３０５０を切断することができ、それによって、カートリッジ３０５０の内容物を容器３０１０内に放出する。このカートリッジ開口機構は、「２段階」のプロセスとして説明することができる。換言すると、開口機構の「第１のステップ」は、カートリッジ加圧部材３０４４のクロージャとすることができる。これは、図３２及び図３０Ａに示されている。「第２のステップ」は、第１の位置から第２の位置へのドーム部分３０５５の移動とすることができる。これは、図３５に示されており、外部的に印加された圧力４０００がある。ドーム部分３０５５はまた、分配システム３０００が繰り返し使用することができるように、第２の位置から第１の位置に移動可能とすることもできる。（例えば、ドーム部分３０５５は、第１の位置の形状に向う本来の材料付勢のために自動的に第１の位置に戻ることができる）。
【０１４２】
ドーム部分３０５５によって、飲料分配システム３０００をカートリッジ３０５０なしで使用することができる。例えば、ドーム部分３０５５は、ユーザが飲料分配システム３０００を使用して水を飲みたいと思うときに収容部３０３４を覆うことができる。更に、飲料分配システム３０００は、「２段階」のカートリッジ開口プロセスを使用することができるが、飲料分配システム３０００はまた、「１段階」のカートリッジ開口プロセスを使用することもでき、「１段階」のカートリッジ開口プロセスを本明細書でより詳細に説明する。
【０１４３】
ドーム部分３０５５は、第１の位置でカートリッジ３０５０から離間され、第２の位置にあるときのみにカートリッジ３０５０に直に接触すると図３０Ａに示されているが、いくつかの実施形態では、ドーム部分は、第１の位置においてカートリッジ３０５０に直に接触してもよい。これは、図３３Ａ及び図３４に示されている。ドーム部分３０５５が第１の位置でカートリッジ３０５０に直に接触する実施形態では、カートリッジ３０５０の開口は、第１の位置から第２の位置までドーム部分の移動でまだ行われる。図３４及び図３５に関して更に詳細に説明している。
【０１４４】
更に、ドーム部分３０５５は位置している、つまり、カートリッジ加圧部材３０４４に直に取り付けられていると図示されているが、いくつかの実施形態では、ドーム部分３０５５は、取り付け機構３０２０の他の部分に取り付けられてもよい。例えば、ドーム部分３０５５は、クロージャ基部３０３０に直に取り付けられてもよい。
【０１４５】
図３３Ａ〜図３５は、図３０Ａ〜図３２に関連して上述した実施形態と類似の飲料分配システムの実施形態を示す。同一又は類似の部品を示すために、図３０Ａ〜図３２で使用したものと類似の参照番号を図３３Ａ〜図３５で使用する。
【０１４６】
図３３Ａ〜図３５は、飲料分配システム３３００を示す。飲料分配システム３３００は、スパウトキャップ３３６３、握持部分３３１８、ロック部分３３３８、及びドーム部分３３５５を除き、飲料分配システム３０００と類似のものである。
【０１４７】
図３３Ａ及び図３３Ｂに示すように、スパウトキャップ３３６３は、スパウトキャップ３３６３が、飲み口部３３４２へ延びる部分を備えるという点でスパウトキャップ３０６３と異なる。いくつかの実施形態では、この部分は、二重のガスケットを備える。更に、スパウトキャップ３３６３は、スパウトキャップ３３６３が、スパウトキャップ３０６３のようなカートリッジ加圧部材３３４４に直に取り付けられていないという点でスパウトキャップ３０６３と異なる。むしろ、スパウトキャップ３３６３は、取り付け部材３３６６を介して容器３３１０に直に取り付けられている。更に、図３３Ｂに示すように、スパウトキャップ３３６３は、頂部側上の隆起した特徴部３３６３Ａを備えることができる。隆起した特徴部３３６３Ａは、握持部分３３１８内に存在するスロットを補完する。隆起した特徴部３３６３Ａ及び握持部分３３１８のスロットの相互作用によって、スパウトキャップ３３６３を、図３３Ａに点線によって表されているように、開放位置に保持する。
【０１４８】
図３４でわかるように、ロック部分つまりロック部材３３３８は、ロック部分つまりロック部材３３３８がスナップクロージャよりもむしろベールクロージャであるのでロック部分つまりロック部材３０３８と異なる。更に、ドーム部分３３５５は、ドーム部分３３５５が、第１の位置であるときにカートリッジ３３５０に直に接触するのでドーム部分３０５５と異なる。これは、図３４に示されている。
【０１４９】
たとえドーム部分３３５５が第１の位置でカートリッジ３３５０に直に接触するとしても、カートリッジ３３５０の開口は、第１の位置から第２の位置へのドーム部分３３５５の移動でまだ行われる。したがって、飲料分配システム３３００内のカートリッジ３３５０の開口は、飲料分配システム３０００内のカートリッジ３０５０の開口と類似のものである。これは、図３４〜図３５に示されている。
【０１５０】
図３６Ａ〜図３６Ｂは、図３０Ａ〜図３２及び図３３Ａ〜図３５に関連して上述した実施形態と類似の飲料分配システムの実施形態を示す。同一又は類似の部品を示すために、図３０Ａ〜図３２及び図３３Ａ〜図３５で使用したものと類似の参照番号を図３６Ａ〜図３６Ｂで使用する。
【０１５１】
図３６Ａ〜図３６Ｂは、飲料分配システム３６００を示す。飲料分配システム３６００は、スパウトキャップ３６６３、容器３６１０、及び保持部分３６７０を除き、飲料分配システム３０００及び３３００と類似のものである。
【０１５２】
図３６Ａ及び図３６Ｂに示すように、スパウトキャップ３６６３は、捩ると飲み口部３６４２から外れるようにスレッドを含むことができる。いくつかの実施形態では、スパウトキャップ３６６３は、シリコーンで構成されている。スパウトキャップ３６６３は、取り付け部材３６６６を介して容器３６１０に取り付けられている。図３６Ａに示すように、保持部分３０７０は、容器３６１０に取り付けられたループを備えることができ、ループは、容器３６１０の周縁部周りに回転可能であるようになっている。いくつかの実施形態では、ループは、シリコーンで構成されてもよい。しかしながら、他の好適な材料もまた想定されている。
【０１５３】
図３６Ａに示すように、容器３６１０は、シリコーンドーム本体を備えることができる。飲料分配システム３６００内のカートリッジ３６５０の開口もまた、それぞれ、カートリッジ３０５０及び３３５０が飲料分配システム３０００及び３３００において開口される方法と同様に、「２段階」のプロセスである。
【０１５４】
図３７Ａ〜図３７Ｂは、図３０Ａ〜図３２、図３３Ａ〜図３５、図３６Ａ〜図３６Ｂに関して説明した実施形態と類似の本発明による飲料分配システムの実施形態を示す。同一又は類似の部品を示すために、図３０Ａ〜図３２で使用したものと類似の参照番号を図３７Ａ〜図３７Ｂで使用する。
【０１５５】
図３７Ａ〜図３７ｂは、飲料分配システム３７００を示す。飲料分配システム３７００は、クロージャ基部３７３０が閉鎖位置にあるときにカートリッジ加圧部材３７４４がクロージャ基部３７３０の全体を覆うことを除き、飲料分配システム３０００及び３３００と類似のものである。換言すると、カートリッジ加圧部材３７４４が閉鎖位置にあるとき、カートリッジ加圧部材３７４４は、飲み口部３７４２及びカートリッジ３７５０を覆う。図３７Ａは、閉鎖位置のカートリッジ加圧部材３７４４を示す。図３７Ｂは、開放位置のカートリッジ加圧部材を示し、飲み口部３７４２、クロージャ基部３７３０、及びカートリッジ３７５０が見える。飲料分配システム３７００内のカートリッジ３７５０の開口もまた、それぞれ、飲料分配システム３０００及び３３００内のカートリッジ３０５０及び３３５０の２段階開口プロセスと同様に「２段階」のプロセスである。
【０１５６】
カートリッジ３０５０、３３５０、３６５０、及び３７５０は、単一の本体によって画成された１つのチャンバを有するカートリッジと示されているが、複数のチャンバを有するカートリッジもまた使用することができる。図３８Ａ、図３８Ｂ、図３９、及び図４０は、２つのチャンバを有するカートリッジ１５０Ｃの使用法を示す。図４０でわかるように、カートリッジ１５０Ｃは、２つの異なるチャンバ１５１Ａ及び１５１Ｂを備える。それぞれのチャンバ１５１Ａ及び１５１Ｂは、独自の剛性本体、独自の開口部、及び独自の穿孔可能なカバーによって画成されている。更に、カートリッジ１５０Ｃは、２つのチャンバ間に位置するフランジ１５３を有し、カートリッジは、一方のチャンバが開口されたときに屈曲することができる。これによって、一方のチャンバは、切断部分の方に下降し、他方のチャンバは、静止したままであることができる。
【０１５７】
使用時、２つのチャンバ１５１Ａ及び１５１Ｂは、同時に又は異なる時間で開口されてもよい。いくつかの実施形態では、カートリッジ１５０Ｃは、図３９に示すように、２つの切断部分を有する飲料分配システムと共に使用されてもよい。第１の切断部分２６３５Ａが、チャンバ１５１Ａを切断及び開口するために使用されてもよく、第２の切断部分２６３５Ｂが、チャンバ１５１Ｂを切断及び開口するために使用されてもよい。２つの切断部分は、チャンバ１５１Ａ及び１５１Ｂの内容物が異なる時間に容器に添加されていることになっているときに望ましい場合がある。例えば、チャンバ１５１Ａのみが切断部分の方に下降するように外圧がドーム部分上に印加されてもよい。
【０１５８】
特定の構成及び特徴部が特定の図及び実施形態に関して説明してきたが、特定の実施形態又は図に関して説明した任意の特徴部は、別の実施形態又は図において使用されてもよいことが想定されている。例えば、スパウトキャップ３６６３及び取り付け部材３６６６は、スパウトキャップ３０６３及び取り付け部材（ヒンジ）３０６６の代わりに飲料分配システム３０００において使用されてもよい。
【０１５９】
更に、図３０Ａ〜図４０の実施形態は、「２段階」のカートリッジ開口プロセスとして説明してきたが、これらのシステム内のカートリッジもまた、「１段階」のプロセスで開口されてもよい。例えば、ドーム部分３０５５、３３５５、３６５５、及び３７５５は、カートリッジ加圧部材３０４４、３３４４、３６４４及び３７４４の閉鎖で、ドーム部分がそれぞれの開口部を切断部分に押し付けるためにカートリッジ３０５０、３３５０、３６５０及び３７５０に係合するように構成されてもよい。
【０１６０】
１段階のプロセスでは、ドーム部分３０５５、３３５５、３６５５及び３７５５は、シリコーンのような圧縮性材料で構成される代わりに、剛性材料で構成されてもよい。非限定的な材料としては、ポリエチレンテレフタレート（ＰＥＴ）及びポリプロピレン（ＰＰ）が挙げられる。１段階のプロセスで、ドーム部分上の外部的に印加された圧力は不要である。むしろ、カートリッジ加圧部材の閉鎖によって、ドーム部分は、カートリッジに接触してカートリッジを切断部分の方に下降させることができる。これは、カートリッジ加圧部材が閉鎖されたときのドーム部分の高さが、カートリッジが収容部内に設置されたときのカートリッジの高さよりも短いようにカートリッジの高さとドーム部分の高さとの偏位によって達成されてもよい。
【０１６１】
１段階のプロセスでは、カートリッジ３０５０、３３５０、３６５０、及び３７５０の本体の剛性は、カートリッジカバーを開口する力以上の垂直力に耐えるほど剛性である必要がある。
【０１６２】
本発明の更なる態様、特に飲料分配システムを使用して飲料を生成する方法の詳細な説明を以下に記載する。本開示の更なる態様は、本開示の実施例による飲料分配システムを使用する飲料を生成する方法に関する。そのような方法は、例えば、任意の所望の順番及び／又は組み合わせで以下のステップ、すなわち、（ａ）カートリッジを容器に挿入するステップ、（ｂ）カートリッジを取り付け機構内の場所に回転させるか又は位置決めするステップ、（ｃ）カートリッジを押し付け、それによって、カートリッジを係合アセンブリと係合させ、弁アセンブリを解放して、箔シールを穿孔部分で穿孔するステップ、（ｄ）容器の内容物を混合するステップ、（ｅ）飲料を容器から飲むステップ、及び（ｆ）カートリッジを容器から解放するステップ、の１つ又は２つ以上を含むことができる。
【０１６３】
本出願は、２０１４年４月１８日出願の米国非仮出願第１４／２５６，７３５号、２００９年８月２８日出願の米国非仮出願第１２／５５０，１０１号、２００８年８月２９日出願の米国特許出願第６１／０９３，０９０号、及び、２００９年１月２１日出願の米国仮出願第６１／１４６，１５６号を参照によって組み入れる。
【０１６４】
本発明は、出願において本明細書で説明する構成要素の構成及び配置の詳細に限定されないことを理解されたい。本発明は、他の実施形態が可能であり、及び、様々な方法で実践又は実行することが可能である。上記の変形例及び変更例は、本発明の範囲内である。本明細書で開示して定義する本発明は、言及するか又は本文及び／又は図面から明白な個々の特徴の２つ以上の全ての代替組み合わせまで拡張されることを理解されたい。これらの異なる組み合わせの全ては、本発明の様々な代替態様を構成する。本明細書で説明する実施形態は、本発明を実施する既知の最良の形態を説明し、当業者が本発明を利用することを可能にすることとする。
【図１】
2019512277.tif 000003
【図１Ａ】
2019512277.tif 000004
【図２Ａ１】
2019512277.tif 000005
【図２Ａ２】
2019512277.tif 000006
【図２Ｂ１】
2019512277.tif 000007
【図２Ｂ２】
2019512277.tif 000008
【図３】
2019512277.tif 000009
【図３Ａ】
2019512277.tif 000010
【図３Ｂ】
2019512277.tif 000011
【図３Ｃ】
2019512277.tif 000012
【図３Ｄ】
2019512277.tif 000013
【図４Ａ】
2019512277.tif 000014
【図４Ｂ】
2019512277.tif 000015
【図４Ｃ】
2019512277.tif 000016
【図４Ｄ】
2019512277.tif 000017
【図４Ｅ】
2019512277.tif 000018
【図４Ｆ】
2019512277.tif 000019
【図５Ａ】
2019512277.tif 000020
【図５Ｂ】
2019512277.tif 000021
【図６Ａ】
2019512277.tif 000022
【図６Ｂ】
2019512277.tif 000023
【図７Ａ】
2019512277.tif 000024
【図７Ｂ】
2019512277.tif 000025
【図８Ａ】
2019512277.tif 000026
【図８Ｂ】
2019512277.tif 000027
【図９Ａ】
2019512277.tif 000028
【図９Ｂ】
2019512277.tif 000029
【図１０Ａ】
2019512277.tif 000030
【図１０Ｂ】
2019512277.tif 000031
【図１１Ａ】
2019512277.tif 000032
【図１１Ｂ】
2019512277.tif 000033
【図１２Ａ】
2019512277.tif 000034
【図１２Ｂ】
2019512277.tif 000035
【図１３Ａ】
2019512277.tif 000036
【図１３Ｂ】
2019512277.tif 000037
【図１４Ａ】
2019512277.tif 000038
【図１４Ｂ】
2019512277.tif 000039
【図１４Ｃ】
2019512277.tif 000040
【図１５】
2019512277.tif 000041
【図１６】
2019512277.tif 000042
【図１７】
2019512277.tif 000043
【図１８Ａ】
2019512277.tif 000044
【図１８Ｂ】
2019512277.tif 000045
【図１８Ｃ】
2019512277.tif 000046
【図１９】
2019512277.tif 000047
【図２０】
2019512277.tif 000048
【図２１】
2019512277.tif 000049
【図２２】
2019512277.tif 000050
【図２３】
2019512277.tif 000051
【図２４】
2019512277.tif 000052
【図２５】
2019512277.tif 000053
【図２６Ａ】
2019512277.tif 000054
【図２６Ｂ】
2019512277.tif 000055
【図２７Ａ】
2019512277.tif 000056
【図２７Ｂ】
2019512277.tif 000057
【図２８Ａ】
2019512277.tif 000058
【図２９Ａ】
2019512277.tif 000059
【図２９Ｂ】
2019512277.tif 000060
【図２９Ｃ】
2019512277.tif 000061
【図３０Ａ】
2019512277.tif 000062
【図３０Ｂ】
2019512277.tif 000063
【図３１Ａ】
2019512277.tif 000064
【図３１Ｂ】
2019512277.tif 000065
【図３２】
2019512277.tif 000066
【図３３Ａ】
2019512277.tif 000067
【図３３Ｂ】
2019512277.tif 000068
【図３４】
2019512277.tif 000069
【図３５】
2019512277.tif 000070
【図３６Ａ】
2019512277.tif 000071
【図３６Ｂ】
2019512277.tif 000072
【図３７Ａ】
2019512277.tif 000073
【図３７Ｂ】
2019512277.tif 000074
【図３８Ａ】
2019512277.tif 000075
【図３８Ｂ】
2019512277.tif 000076
【図３９】
2019512277.tif 000077
【図４０】
2019512277.tif 000078
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
飲料分配システムであって、
容器と、
前記容器に連結された取り付け機構であって、前記取り付け機構は収容部と、切断部分と、カートリッジ加圧部材とを含み、前記カートリッジ加圧部材は、前記収容部にヒンジ取り付けされており、開放位置と閉鎖位置との間で回転可能である、取り付け機構と、
前記収容部にて前記取り付け機構に係合するように適合されたカートリッジであって、チャンバと、開口部と、前記開口部上方に位置する穿孔可能なカバーとを含むカートリッジと、を備え、
前記閉鎖位置では、前記カートリッジは、前記カートリッジ加圧部材の開口部を貫通して延び、前記カートリッジ加圧部材は、前記カートリッジに係合して前記カバーを前記切断部分に押し付け、それによって前記カートリッジを開口して内容物を前記容器に分配する、飲料分配システム。
【請求項２】
前記カートリッジは、１つ又は２つ以上の飲料成分を保持する、請求項１に記載のシステム。
【請求項３】
前記１つ又は２つ以上の飲料成分は、シロップ、ペースト、粉末、又は顆粒を含む、請求項２に記載のシステム。
【請求項４】
前記１つ又は２つ以上の飲料成分は、栄養分、ビタミン、薬草、栄養補助食品、微粒子、ゲル、又はフルーツ風味ベースを含む、請求項２に記載のシステム。
【請求項５】
前記カートリッジは、少なくとも２つのチャンバを含み、それぞれのチャンバは、異なる飲料成分を保持する、請求項１に記載のシステム。
【請求項６】
前記収容部は、前記カートリッジが開口されたときに前記システムからの前記１つ又は２つ以上の飲料成分の漏出を防止するように構成されたシールを更に含む、請求項２に記載のシステム。
【請求項７】
前記切断部分は、前記カバーが前記切断部分に押し付けられたときに前記カバーを穿孔するように構成されている、請求項１に記載のシステム。
【請求項８】
前記カートリッジ加圧部材は、スパウトを含むスパウト部分上に配設されており、前記スパウトは、前記カートリッジ加圧部材が前記閉鎖位置にあるときに、前記容器開口部と整合する、請求項１に記載のシステム。
【請求項９】
前記カートリッジ加圧部材は、シリコーンドームを含む、請求項１に記載のシステム。
【請求項１０】
前記カートリッジ加圧部材は、前記カバーを前記切断部分に押し付けるために前記カートリッジのリムに係合する、請求項１に記載のシステム。
【請求項１１】
飲料分配システムであって、
第１の端部と前記第１の端部の反対側の第２の端部を有する容器と、
前記第１の端部で前記容器に連結された取り付け機構であって、前記取り付け機構はクロージャ基部とカートリッジ加圧部材とを含み、前記カートリッジ加圧部材は、前記クロージャ基部にヒンジ取り付けされており、開放位置と閉鎖位置との間で回転可能であり、前記閉鎖位置で、前記カートリッジ加圧部材は、前記カートリッジの内容物を分配するためにカートリッジに係合するように構成されている、取り付け機構と、
前記第２の端部で前記容器に連結された格納室であって、前記格納室は、カートリッジを格納するための内部空間を含む、格納室と、を備える、飲料分配システム。
【請求項１２】
前記内部空間は、少なくとも第２のカートリッジと第３のカートリッジとを格納するように構成されている、請求項１１に記載のシステム。
【請求項１３】
前記格納室は、前記格納室上のスレッドと、前記容器の前記第２の端部上のマッチングスレッドとの相互作用によって前記第２の端部に連結されている、請求項１１に記載のシステム。
【請求項１４】
前記格納室は、半透明である、請求項１１に記載のシステム。
【請求項１５】
飲料分配システム用カートリッジであって、
内側チャンバを画成する本体と、
前記内側チャンバへの開口部と、
前記開口部上方に配設された箔シールであって、前記カートリッジの内容物を放出するように穿孔可能な箔シールと、を備え、前記箔シールは、金属上方に配設された封止ポリマーを含み、
前記本体は、多層構造のポリプロピレン、ポリエチレンテレフタレート、及びアルミニウムの少なくとも１つを含む、カートリッジ。
【請求項１６】
前記本体及び前記シールは、高温充填用途及び低温充填用途の両方にそれぞれ耐えることができる、請求項１５に記載のカートリッジ。
【請求項１７】
前記金属は、アルミニウム、金属被覆ポリエステル、又は金属被覆ポリプロピレンを含む、請求項１５に記載のカートリッジ。
【請求項１８】
前記金属被覆ポリプロピレンは、二軸延伸されている、請求項１７に記載のカートリッジ。
【請求項１９】
前記封止ポリマーは、ポリエチレンを含む、請求項１５に記載のカートリッジ。
【請求項２０】
前記カートリッジは、少なくとも２つの別個のチャンバを含む、請求項１５に記載のカートリッジ。
【請求項２１】
前記多層構造は、受動的バリア層を含む、請求項１５に記載のカートリッジ。
【請求項２２】
前記多層構造は、脱酸素剤層を含む、請求項１５に記載のカートリッジ。
【請求項２３】
飲料分配システムであって、
容器と、
前記容器に連結された取り付け機構であって、前記取り付け機構は収容部と、切断部分と、カートリッジ加圧部材とを含み、前記カートリッジ加圧部材は、前記収容部にヒンジ取り付けされており、開放位置と閉鎖位置との間で回転可能である、取り付け機構と、
カートリッジを開口するために第１の位置と第２の位置との間で移動するように構成されたドーム部分と、を備える、飲料分配システム。
【請求項２４】
前記飲料分配システムは、前記収容部で前記取り付け機構に係合するように適合されたカートリッジを更に備え、前記カートリッジは、剛性本体によって画成された第１のチャンバと、開口部と、前記開口部上方に位置する穿孔可能なカバーとを含み、前記第２の位置で、前記ドーム部分は、前記カバーを前記切断部分に押し付け、それによって前記第１のチャンバを開口して内容物を前記容器に分配する、請求項２３に記載の飲料分配システム。
【請求項２５】
前記ドーム部分は、前記カートリッジ加圧部材上に設けられている、請求項２３に記載の飲料分配システム。
【請求項２６】
前記ドーム部分は、前記カートリッジ加圧部材が閉鎖位置にあるときに第１の位置と第２の位置との間で移動するように構成されている、請求項２３に記載の飲料分配システム。
【請求項２７】
前記ドーム部分は、シリコーンを含む、請求項２３に記載の飲料分配システム。
【請求項２８】
前記第１の位置で、前記ドーム部分は、前記剛性本体から離間されており、前記第２の位置で、前記ドーム部分は、前記剛性本体に直に接触する、請求項２３に記載の飲料分配システム。
【請求項２９】
前記ドーム部分は、前記ドーム部分への外部的に印加された圧力で前記第１の位置から前記第２の位置に移動する、請求項２３に記載の飲料分配システム。
【請求項３０】
前記ドーム部分は、可撓性である、請求項２３に記載の飲料分配システム。
【請求項３１】
前記カートリッジは、剛性本体によって画成された第２のチャンバと、開口部と、前記第２のチャンバの前記開口部上方に位置する穿孔可能なカバーとを含み、前記切断部分は、第２の切断部分を備え、前記第２の位置で、前記ドーム部分は、前記第２のチャンバの前記剛性本体に係合して前記第２のチャンバの前記開口部を前記第２の切断部分に押し付け、それによって前記第２のチャンバを開口して内容物を前記容器に分配する、請求項２３に記載の飲料分配システム。
【請求項３２】
前記カートリッジは、前記第１のチャンバと前記第２のチャンバとの間の可撓性フランジを含む、請求項３１に記載の飲料分配システム。
【国際調査報告】
2019512277.tif 000079
2019512277.tif 000080
2019512277.tif 000081